(57)【要約】【課題】玩具組立体を提供すること。【解決手段】ハウジング；及び前記ハウジング内に配置された主要玩具キャラクター及び補助玩具キャラクターを含み、前記主要玩具キャラクターは、前記ハウジングを破壊して前記主要玩具キャラクター及び前記補助玩具キャラクターを露出させるように動作可能となる前記突破機構を含み、前記突破機構は、前記補助玩具キャラクターを前記ハウジングから押し出すように伸びる。【選択図】図１
2020028754.tif 000002
【特許請求の範囲】
【請求項１】
ハウジング；及び
前記ハウジング内に配置された主要玩具キャラクター及び補助玩具キャラクターを含み、
前記主要玩具キャラクターは、前記ハウジングを破壊して前記主要玩具キャラクター及び前記補助玩具キャラクターを露出させるように動作可能となる前記突破機構を含み、
前記突破機構は、前記補助玩具キャラクターを前記ハウジングから押し出すように伸びる、
玩具組立体。
【請求項２】
ハウジングは、卵形状である、
請求項１に記載の玩具組立体。
【請求項３】
前記主要玩具キャラクターと前記補助玩具キャラクターの各々は、鳥形状である、
請求項２に記載の玩具組立体。
【請求項４】
前記主要玩具キャラクターと前記補助玩具キャラクターの各々は、マイクロフォンと、スピーカーを含み、
前記主要玩具キャラクターと前記補助玩具キャラクターが相互に対話する、
請求項１に記載の玩具組立体。
【請求項５】
前記主要玩具キャラクターは、前記スピーカーを介してオーディオ信号を出力するように構成されており、
前記補助玩具キャラクターは、前記マイクを介して前記オーディオ信号を識別するように構成されている、
請求項４に記載の玩具組立体。
【請求項６】
前記主要玩具キャラクターは、スクリュードライブを介して、前記ハウジングから前記補助玩具キャラクターを押し出す、
請求項１に記載の玩具組立体。
【請求項７】
前記補助玩具キャラクターから出力されたオーディオ及び／又は光信号は、前記主要玩具キャラクターによって受信され、前記補助玩具キャラクターの位置設定及び移動のために利用される、
請求項４に記載の玩具組立体。
【請求項８】
前記突破機構は、
プランジャ管状側壁を有するプランジャ部材；
前記プランジャ部材が受容される全体的に中空の内部を持つベース管状側壁を有するベース部材；及び
前記ハウジングを破壊するように前記ベース部材及び前記プランジャ部材を駆動するモータを含む、
請求項１に記載の玩具組立体。
【請求項９】
前記突破機構は、
プランジャ管状側壁を有するプランジャ部材；
前記プランジャ管状側壁に受容されるベース管状側壁を有するベース部材；及び
前記ハウジングを破壊するように前記ベース部材及び前記プランジャ部材を駆動するモータを含む、
請求項１に記載の玩具組立体。
【請求項１０】
前記補助玩具キャラクターは、
前記ハウジング内で圧縮された状態にあるコンパニオン機構であって、ハウジングの破壊時に拡張するコンパニオン機構を含む、
請求項１から９のいずれか一項に記載の玩具組立体。
【請求項１１】
前記補助玩具キャラクターは、
前記補助玩具キャラクターのホイール基部を前記補助玩具キャラクターの本体から離れる方向に付勢するばねを有する、
請求項１から９のいずれか一項に記載の玩具組立体。
【請求項１２】
前記補助玩具キャラクターは、２つの助玩具キャラクターのいずれか一方である、
請求項１から１０のいずれか一項に記載の玩具組立体。
【請求項１３】
前記突破機構および前記コンパニオン機構は、それぞれ前記突破機構および前記コンパニオン機構の拡張時に作動する電子部品を含む、
請求項１０に記載の玩具組立体。
【請求項１４】
ハウジング；
前記ハウジング内に配置された内部物体； 
前記ハウジングに連結された突破機構であり、前記ハウジングを破壊して前記内部物体を露出させるように動作可能となる前記突破機構であって、前記ハウジングに連結された突破機構動力源によって動力供給される前記突破機構；及び
前記内部物体のプッシュボタンであり、前記ハウジングの正しい点が押圧されることによって押圧される前記プッシュボタンであり、前記内部物体のＬＥＤの動作を制御する前記プッシュボタンを備え、
前記ＬＥＤは被点灯時に前記ハウジングを通して視認可能である、
玩具組立体。
【請求項１５】
ハウジングは、卵形状である、
請求項１４に記載の玩具組立体。
【請求項１６】
前記内部物体は、鳥形状である、
請求項１５に記載の玩具組立体。
【請求項１７】
前記内部物体は、音声入力を受けるマイクロフォンと、スピーカーを含む、
請求項１４に記載の玩具組立体。
【請求項１８】
前記突破機構は、前記内部物体に連結する位置のハンマーを含み、
前記突破機構動力源は、前記ハンマーを駆動して前記ハウジングを破壊するために、前記ハンマーに動作的に接続されている、
請求項１４に記載の玩具組立体。
【請求項１９】
前記内部物体は、環境照明条件下において前記ハウジングを通して視認できない、
請求項１４に記載の玩具組立体。
【請求項２０】
前記突破機構は、
ベース部材；
プランジャ部材；
前記プランジャ部材及び前記ベース部材を離間するように付勢する分離力をもたらす付勢要素；及び
モータによって駆動されるスクリュードライブであって、前記付勢要素の撓みを漸増させることにより、前記プランジャ部材を前記ベース部材から外向きに付勢する付勢力であって、前記付勢要素によって印加される付勢力を増大させる、前記スクリュードライブを含む、
請求項１４に記載の玩具組立体。
【請求項２１】
前記突破機構は、
ベース部材；
プランジャ部材；
前記プランジャ部材及び前記ベース部材を離間するように付勢する分離力をもたらす付勢要素；及び
前記プランジャ部材及び前記ベース部材を離間するように前記付勢要素が移動することをブロックするブロック位置に位置決め可能であり、前記プランジャ部材及び前記ベース部材を離間するように前記付勢要素が駆動することを許容するように前記ブロック位置から除去可能である、解放部材を含む、
請求項１４に記載の玩具組立体。
【請求項２２】
前記ハウジングは、前記突破機構からの衝撃時の破断を促進するために、前記ハウジングの内面上に設けられた複数の破断要素を含む、
請求項１４に記載の玩具組立体。
【請求項２３】
ハウジング；
前記ハウジング内に配置された内部物体；及び
前記ハウジングに連結された突破機構であり、前記ハウジングを破壊して前記内部物体を露出させるように動作可能となる前記突破機構であって、前記ハウジングに連結された突破機構動力源によって動力供給される前記突破機構を含み、
前記突破機構は、
ベース部材；
プランジャ部材；及び
モータによって駆動されるスクリュードライブであって、前記ハウジングを破壊するように、前記プランジャ部材を前記ベース部材から漸進的に離間させる前記スクリュードライブを含む、
玩具組立体。
【発明の詳細な説明】
【技術分野】
【０００１】
本明細書は一般に、ハウジング内に内部物体を有する組立体に関し、より詳細には、卵のような形状のハウジング内の玩具キャラクターに関する。
【背景技術】
【０００２】
ユーザと対話する玩具を提供すること、及び上記玩具が上記対話に基づいて上記ユーザに報酬を与えることが、求められ続けている。例えばいくつかのロボットペットは、その所有者がロボットペットの頭を数回撫でると、擬似的な愛を示す。所有者はこのようなロボットペットを楽しんでいるが、所有者と対話する新規かつ革新的なタイプの玩具、特に玩具キャラクターが求められ続けている。
【発明の概要】
【発明が解決しようとする課題】
【０００３】
本発明は、背景技術の課題を解決するためのものである。
【課題を解決するための手段】
【０００４】
ある態様では、玩具組立体が提供され、上記玩具組立体は、ハウジング、内部物体（いくつかの実施形態では玩具キャラクターであってよい）、少なくとも１つのセンサ、及びコントローラを含む。上記内部物体は上記ハウジング内に位置決めされ、上記ハウジングを破壊して上記内部物体を露出させるように動作可能な、突破機構を含む。上記少なくとも１つのセンサは、ユーザとの対話を検出する。上記コントローラは、上記ユーザとの少なくとも１つの対話に基づいて、選択された条件が満たされているかどうかを決定するよう、及び上記条件が満たされている場合に、上記ハウジングを破壊して上記内部物体を露出させるために上記突破機構を動作させるよう、構成される。任意に、上記条件は、上記ユーザとの、選択された回数の対話を有することに基づいて満たされる。
【０００５】
任意に、上記突破機構は、ハンマー及び突破機構動力源を含む。上記内部物体は少なくとも１つの解放部材を含み、上記解放部材は、上記ハンマーを駆動して上記ハウジングを破壊するために、上記突破機構動力源が上記ハンマーに動作的に接続される、突破前位置から、上記突破機構動力源が上記ハンマーから動作的に接続解除される、突破後位置へと移動できる。上記少なくとも１つの解放部材は、上記ハウジングを破壊して上記内部物体を露出させる前は、上記突破前位置にある。
【０００６】
別の選択肢として、上記突破機構は：ハンマーであって、上記ハンマーは、上記ハンマーが上記ハウジングから離間している引き込み位置と、上記ハウジングを破壊するために上記ハンマーが駆動される延伸位置との間で可動である、ハンマー；作動レバー；及び突破機構カムを含んでよい。上記作動レバーは、作動レバー付勢部材によって、上記ハンマーを上記延伸位置へと駆動するように付勢され、上記突破機構カムは、モータによって回転可能であり、それにより、上記ハンマーからの上記作動レバーの引き込みと、それに続く、上記作動レバー付勢部材によって上記ハンマー内へと圧入するための上記作動レバーの解放とを、周期的に引き起こす。上記作動レバー付勢部材及び上記モータは一体として、上記突破機構動力源を構成する。任意に、上記作動レバー付勢部材は、螺旋コイル引張ばねである。
【０００７】
任意に、上記突破前位置にある場合、上記少なくとも１つの解放部材は、上記ばねの第１の端部を、上記ハウジングと、上記ハンマーに係合するために枢動可能な作動レバーとのうちの一方に、解放可能に接続する。上記ばねは、上記ハウジング及び上記作動レバーのうちのもう一方に接続される第２の端部を有する。上記突破後位置にある場合、上記少なくとも１つの解放部材は、上記ばねの上記第１の端部を、上記ハウジング及び上記作動レバーのうちの上記一方から接続解除する。
【０００８】
別の選択肢として、上記突破前位置にある場合、上記少なくとも１つの解放部材は、上記ばねの第１の端部を、上記ハウジングと、上記ハンマーに係合するために枢動可能な作動レバーとのうちの一方に、解放可能に接続する。ここで上記ばねは、上記ハウジング及び上記作動レバーのうちのもう一方に接続される第２の端部を有する。上記突破後位置にある場合、上記少なくとも１つの解放部材は、上記ばねの上記第１の端部を、上記ハウジング及び上記作動レバーのうちの上記一方から接続解除する。
【０００９】
別の選択肢として、上記内部物体は更に、少なくとも１つの枝状部（ｌｉｍｂ）及び枝状部動力源を含む。上記内部物体が上記突破前位置にある場合、上記枝状部動力源は、上記少なくとも１つの枝状部から動作的に接続解除される。上記内部物体が上記突破後位置にある場合、上記枝状部動力源は、上記少なくとも１つの枝状部に動作的に接続される。
【００１０】
別の選択肢として、上記内部物体が上記突破前位置にある場合、上記少なくとも１つの枝状部は、上記枝状部動力源が上記少なくとも１つの枝状部の運動を駆動しない、非機能位置に保持される。上記内部物体が上記突破後位置にある場合、上記枝状部動力源は、上記少なくとも１つの枝状部の運動を駆動する。
【００１１】
別の態様によると、ユーザと玩具組立体との間の対話を管理するための方法が提供され、ここで上記玩具組立体は、ハウジング、及び上記ハウジング内の玩具キャラクターを含む。上記方法は：
ａ）上記ユーザから上記玩具組立体の登録を受信するステップ；
ｂ）上記ステップａ）の後、上記ユーザから、上記玩具組立体の第１の進行度スキャンを受信するステップ；
ｃ）仮想発育の第１のステージにおける、上記玩具キャラクターの第１の出力画像を表示するステップ；
ｄ）上記ステップｃ）の後、上記ユーザから、上記玩具組立体の第２の進行度スキャンを受信するステップ；及び
ｅ）上記第１の出力画像とは異なる、仮想発育の第２のステージにおける上記内部物体の第２の出力画像を表示するステップ
を含む。
【００１２】
別の態様では、玩具組立体が提供される。上記玩具組立体は：ハウジング；上記ハウジング内の内部物体（いくつかの実施形態では玩具キャラクターであってよい）；上記ハウジングと連結した、上記ハウジングを破壊して上記内部物体を露出させるよう動作可能な、突破機構を含む。上記突破機構は、上記ハウジングと連結した突破機構動力源によって動力供給される。任意に、上記突破機構は上記ハウジング内にある。更なる選択肢として、上記突破機構は、上記ハウジングの外側から動作可能であってよい。任意に、上記突破機構は、上記内部物体に関連して位置決めされたハンマーを含み、ここで上記突破機構動力源は、上記ハンマーを駆動して上記ハウジングを破壊するために、上記ハンマーに動作的に接続される。任意に、上記突破機構動力源は、上記ハンマーを往復運動させて上記ハウジング破壊するために、上記ハンマーに動作的に接続される。
【００１３】
任意に、上記突破機構は：ベース部材；プランジャ部材；並びに上記プランジャ部材及び上記ベース部材を離間するように付勢する分離力をもたらす付勢要素を含む。
【００１４】
更なる選択肢として、上記突破機構は解放要素を更に含み、上記解放要素は、上記解放要素が、上記付勢要素を、上記プランジャ部材及び上記ベース部材を離間するように移動させないようにブロックする、ブロック位置に位置決め可能であり、また、上記付勢要素が上記プランジャ部材及び上記ベース部材を離間するように駆動できるように、上記ブロック位置から除去可能である。
【００１５】
任意に、モータはバッテリから電力を取り出し、上記突破機構は更に磁気スイッチを備え、上記磁気スイッチは、上記バッテリから上記モータへの電力を制御し、また上記ハウジングに近接した磁石の存在によって作動可能である。
【００１６】
別の態様では、玩具組立体が提供され、これは、ハウジング及び上記ハウジング内の内部物体（いくつかの実施形態では玩具キャラクターであってよい）を含み、ここで上記ハウジングは、上記ハウジング内に形成された複数の不規則破断経路を有し、これにより上記ハウジングは、十分な力を受けた場合に、上記破断経路のうちの少なくとも１つに沿って破断するよう構成される。
【００１７】
別の態様では、玩具組立体が提供され、これは、ハウジングと、突破前位置にある上記ハウジング内の内部物体（いくつかの実施形態では玩具キャラクターであってよい）とを含む。上記内部物体は、機能性機構セットを含む。上記内部物体は、上記ハウジングから取り出し可能であり、突破後位置に位置決め可能である。上記内部物体が上記突破前位置にある場合、上記機能性機構セットは、第１の一連の運動を実施するよう動作可能である。上記内部物体が上記突破後位置にある場合、上記機能性機構セットは、上記第１の一連の運動とは異なる第２の一連の運動を実施するよう動作可能である。ある例では、上記内部物体は更に：突破機構；突破機構動力源；少なくとも１つの枝状部；及び枝状部動力源を含み、これら全てが一体として、上記機能性機構セットの一部を形成する。上記内部物体が上記突破前位置にある場合、上記枝状部動力源は、上記少なくとも１つの枝状部から動作的に接続解除され、従って上記枝状部動力源の運動は、上記少なくとも１つの枝状部の運動を駆動しない。しかしながら上記突破後位置では、上記突破機構動力源が上記突破機構の運動を駆動することにより、上記ハウジングを破壊して上記内部物体を露出させる。上記内部物体が上記突破後位置にある場合、上記枝状部動力源は、上記少なくとも１つの枝状部に動作的に接続され、上記枝状部の運動を駆動できるが、上記突破機構は上記突破機構動力源によって駆動されない。
【００１８】
別の態様では、ポリマー組成物が提供され、上記ポリマー組成物は：約１５〜２５重量％のベースポリマー；約１〜５重量％の有機酸金属塩；及び約７５〜８５重量％の無機／微粒子フィラーを含む。
【００１９】
別の態様では、製品が提供され、上記製品は：約１５〜２５重量％のベースポリマー；約１〜５重量％の有機酸金属塩；及び約７５〜８５重量％の無機／微粒子フィラーを含む、上記ポリマー組成物で形成される。
【００２０】
別の態様では、玩具組立体が提供され、これは、ハウジング及び上記ハウジング内の内部物体（いくつかの実施形態では玩具キャラクターであってよい）を含み、ここで上記内部物体は、上記ハウジングを破壊して上記内部物体を露出させるよう動作可能な突破機構を含み、ここで上記ハウジングは、上記突破機構からの衝撃時の破断を促進するために上記ハウジングの内面に設けられた、複数の破断要素を含む。
【００２１】
別の態様では、ハウジング破断機構が提供され、これは：第１のフレーム部材；上記第１のフレーム部材に回転可能に連結された第２のフレーム部材；破壊されることになるハウジングが中に位置決めされるアパーチャ；及び上記第１のフレーム部材に枢動可能に連結され、上記第２の部材に摺動可能に連結された、少なくとも１つの切断要素を含み、上記少なくとも１つの切断要素は、上記少なくとも１つの切断要素が、上記アパーチャ内に配置されている場合の上記ハウジングに隣接する、第１の位置と、上記少なくとも１つの切断要素が、上記アパーチャ内に配置されている場合の上記ハウジングを横断する、第２の位置との間で枢動する。
【００２２】
更に別の態様では、玩具組立体が提供され、これは：ハウジング；上記ハウジング内の内部物体；及び上記ハウジングと連結した、上記ハウジングを破壊して上記内部物体を露出させるよう動作可能な、突破機構を含み、ここで上記突破機構は、上記ハウジング内に戻された際に追加の挙動を呈する。
【００２３】
本明細書に記載の様々な実施形態の更なる理解のために、及び上記様々な実施形態を実行できる方法をより明らかに示すために、単なる例として、添付の図面を参照する。
【図面の簡単な説明】
【００２４】
【図１Ａ】乃至
【図１Ｂ】非限定的実施形態による玩具組立体の透視側面図である。
【図２】図１Ａ及び１Ｂに示す玩具組立体の一部であるハウジングの透視斜視図である。
【図３】図１Ａ及び１Ｂに示す玩具組立体の一部である玩具キャラクターの斜視図である。
【図４】図２に示す玩具キャラクターの、突破機構の一部であるハンマーの係合前の突破前位置における側面断面図である。
【図５】図２に示す玩具キャラクターの、突破機構の一部であるハンマーの係合後の突破前位置における側面断面図である。
【図６】ハウジング内の玩具キャラクターの回転を引き起こす、玩具キャラクターの一部分の斜視図である。
【図６Ａ】図６に示す玩具キャラクターの上記一部分の側面断面図である。
【図７】図２に示す玩具キャラクターの、突破後位置における側面断面図であり、ハンマーを延伸した状態で示す。
【図８】図２に示す玩具キャラクターの、突破後位置における側面断面図であり、ハンマーを引き込まれた状態で示す。
【図９】図１Ａ及び１Ｂに示す玩具組立体の一部分の斜視図であり、玩具組立体の一部である複数のセンサを示す。
【図１０Ａ】玩具組立体の一部分の正面立面図であり、玩具キャラクターの枝状部を、上記枝状部がハウジング内にある場合に位置決めされたままの、非機能性突破前位置において示す。
【図１０Ｂ】玩具組立体の一部分の背面斜視図であり、玩具キャラクターの枝状部を、上記枝状部がハウジング内にある場合に位置決めされたままの、非機能性突破前位置において更に示す。
【図１０Ｃ】枝状部と玩具キャラクターのキャラクターフレームとの間の接合部の、拡大正面立面図である。
【図１０Ｄ】玩具組立体の一部分の斜視図であり、玩具キャラクターの枝状部を、上記枝状部がハウジングの外側にある場合に位置決めされたままの、機能性突破後位置において示す。
【図１１】玩具組立体、及び玩具組立体をスキャンするために使用される電子デバイスの斜視図である。
【図１２】玩具組立体のスキャンをサーバにアップロードするステップを示す概略図である。
【図１３Ａ】電子的に表示するために出力画像をサーバから送信するステップを示す概略図であり、玩具キャラクターに関する発育の第１の仮想ステージを示す。
【図１３Ｂ】電子的に表示するために出力画像をサーバから送信するステップを示す概略図であり、玩具キャラクターに関する発育の第２の仮想ステージを示す。
【図１４】図１１及び１３に示したステップに基づいて、電子デバイスからスキャンを受信し、玩具キャラクターを図示する方法のフローチャートである。
【図１５】その中に形成された連続した及び不連続な破断経路の組み合わせを有する卵の殻の形状で示されているハウジングの概略側面図である。
【図１６】ランダムなパターンで配設された複数の連続した破断経路を有する卵の殻の形状で示されているハウジングの斜視図である。
【図１７Ａ】ある幾何学的パターンで配設された複数の連続した破断経路を有する卵の殻の形状で示されているハウジングの概略側面図である。
【図１７Ｂ】図１７Ａのハウジングの斜視図であり、上記破断経路の上記幾何学的パターンをより詳細に示す。
【図１８】ランダムなパターンで配設された複数の不連続な破断経路を有する卵の殻の形状で示されているハウジングの斜視図である。
【図１９Ａ】ランダムなパターンで配設された複数の破断ユニットを有する卵の殻の形状で示されているハウジングの概略図である。
【図１９Ｂ】規則的反復パターンで配設された複数の破断ユニットを有する卵の殻の形状で示されているハウジングの斜視図である。
【図２０】タブの解放による起動前の、別の非限定的実施形態による玩具組立体の一部を形成する突破機構の側面断面図である。
【図２１】図２０の突破機構の側面分解立体図である。
【図２２】タブの解放による起動後の、図２０の突破機構の別の側面断面図である。
【図２３】その中に形成された複数の連続した破断経路を有する卵の殻の形状で示されている、別の非限定的実施形態によるハウジングの、側面断面図である。
【図２４】更なる非限定的実施形態による、玩具組立体の一部を形成する別の突破機構の多数の構成部品の分解立体図である。
【図２５】突破機構の起動前の、ハウジング内の図２４の突破機構の側面断面図である。
【図２６】起動後の、ハウジングを通って突出している図２５の突破機構の側面断面図である。
【図２７】更に別の非限定的実施形態による突破機構の側面図である。
【図２８】更なる非限定的実施形態によるハウジング破断機構の上面図である。
【図２９】図２８のハウジング破断機構の上面断面図であり、ハウジングが破断されている様子を示す。
【図３０】図２８のハウジング破断機構の側面断面図である。
【図３１Ａ】２つの枢動可能に接続された部材を有する更に別の非限定的実施形態による、ハウジング破断機構の上面図である。
【図３１Ｂ】図３１Ａのハウジング破断機構の上面図であり、上記２つの部材は互いに対して枢動して、上記２つの部材によって画定されたアパーチャを制限する。
【図３２Ａ】膨張状態における、別の実施形態による突破機構の正面図である。
【図３２Ｂ】図３２Ａの突破機構を有するハウジング内に配置するためのコンパニオン機構の正面図である。
【図３３】図３２Ａの突破機構及び図３２Ｂのコンパニオン機構を、積層圧縮状態で示す。
【図３４】図３２Ａの突破機構と同様の突破機構及び図３２Ｂのコンパニオン機構と同様のコンパニオン機構を採用した、２つの玩具キャラクターを有する、卵の形状のハウジングの断面図である。
【図３５】図３２Ａの突破機構のような突破機構を有するハウジング内に配置するための、図３２Ｂのコンパニオン機構よりも小さいコンパニオン機構の、正面断面図である。
【図３６】図３２Ａの突破機構と同様の突破機構、及び２つの図３５のコンパニオン機構の、積層圧縮状態における部分断面正面図である。
【図３７】図３２Ａの突破機構と同様の突破機構及び図３６に示すような２つのコンパニオン機構を採用した、３つの玩具キャラクターを有する、卵の形状のハウジングの断面図である。
【図３８】更に別の実施形態による、ハウジング、アダプタディスク及び突破機構の部分断面図である。
【図３９】図３８のハウジングの底部の上面斜視図である。
【図４０Ａ】図３８のアダプタディスクの上面斜視図である。
【図４０Ｂ】図３８のアダプタディスクの底面斜視図である。
【発明を実施するための形態】
【００２５】
本開示のある実施形態による玩具組立体１０を示す図１Ａ及び１Ｂを参照する。玩具組立体１０は、ハウジング１２、及びハウジング１２内に位置決めされた玩具キャラクター１４を含む。ハウジング１２内の玩具キャラクター１４を示すために、ハウジング１２の複数の部分は、図１Ａ及び１Ｂにおいて透明なものとして示されているが、ハウジング１２は、この物理的組立体において、典型的な環境照明条件下においてユーザがハウジング１２を通して玩具キャラクター１４を視認できないという意味で不透明であってよい。図示されている実施形態では、ハウジング１２は卵の殻の形状であり、ハウジング１２内の玩具キャラクター１４は鳥の形状である。しかしながら、ハウジング１２及び玩具キャラクター１４は他のいずれの好適な形状を有してよい。製造のために、ハウジング１２は、第１のハウジグ部材１２ａ、第２のハウジング部材１２ｂ及び第３のハウジング部材１２ｃとして別個に図示されている複数のハウジング部材から形成してよく、これらは一体に固定接合されて、玩具キャラクター１４を実質的に取り囲む。あるいはいくつかの実施形態では、ハウジング１２は玩具キャラクター１４を部分的にしか取り囲まなくてよく、これにより玩具キャラクターは、ハウジング１２内にある場合であっても、いくつかの角度から視認できる。
【００２６】
玩具キャラクター１４は、ハウジング１２内からハウジング１２を破壊して玩具キャラクター１４を露出させるよう構成される。ハウジング１２が卵の形状である実施形態では、ハウジング１２を破壊する作用は、特に玩具キャラクター１４が鳥、又は通常卵から孵化する他の何らかの動物、例えば亀、トカゲ、恐竜若しくは他の何らかの動物の形状である実施形態では、ユーザにとって、玩具キャラクター１４が卵から孵化しているように見えることになる。
【００２７】
図２に示す透視図を参照すると、ハウジング１２は、ハウジング１２内に形成された複数の不規則破断経路１６を含んでよい。結果として、玩具キャラクター１４がハウジング１２を破壊した場合に、ユーザにとっては、ハウジング１２が玩具キャラクター１４によってランダムに破壊されたように見え、これによりハウジングを破壊するプロセスに現実感が付与される。不規則破断経路１６は、いずれの好適な形状を有してよい。例えば破断経路１６は一般に弓状であってよく、これにより、玩具キャラクター１４によるハウジング１２の破壊中、ハウジング１２に鋭利な角部が存在するのが防止される。不規則破断経路１６はいずれの好適な方法で形成してよい。例えば破断経路は、ハウジング１２ａ〜１２ｃのうちの１つ又は複数の直接成形してよい。図示されている例では、破断経路１６は、ハウジング１２の破壊前にユーザが視認できないように、ハウジング１２の内面（１８で示される）に設けられる。破断経路１６により、ハウジング１２は、十分な力を受けた場合に、破断経路１６のうちの少なくとも１つに沿って破断するよう構成される。
【００２８】
ハウジング１２は、所望の性能（即ち破壊）特性に応じて、いずれの好適な天然又は合成ポリマー組成物で形成してよい。例えば図１Ａに示すように、卵の殻の形態で示されている場合、ポリマー組成物は、玩具キャラクター１４の突破機構２２からの衝撃時に現実感のある破壊挙動を呈するように選択してよい。一般に、シミュレートされた破壊可能な卵の殻に好適な材料は、低弾性、低可塑性、低展性及び低引張強度のうちの１つ以上を呈してよい。突破機構２２による作用時、材料は、衝撃力を有意に吸収することなく破断しなければならない。換言すると、突破機構２２による衝突時、材料は有意に曲がってはならず、画定された破断要素のうちの１つ又は複数に沿って破断しなければならない。更に、上記ポリマー組成物は、鋭利な縁部が形成されない破壊を呈するよう選択してよい。破壊イベント中、選択されたポリマー組成物は、分離しなかった点における曲げ又は屈曲による現実感のないぶら下がりを最小限にして、破壊されて自由になった片がハウジング１２から分離してきれいに落下できるようにする必要がある。
【００２９】
ベースポリマーに対して高いフィラー含量を有するポリマー組成物が、破壊される卵をシミュレートするために望ましい性能特性を呈することが決定されている。高いフィラー含量を有する例示的な組成物は、約１５〜２５重量％のベースポリマー、約１〜５重量％の有機酸金属塩、及び約７５〜８５重量％の無機／微粒子フィラーを含んでよい。所望の性能特性を達成するために、多様なベースポリマー、有機酸金属塩及びフィラーを選択してよいことが理解されるだろう。ハウジング１２の形成における使用に好適なある例示的実施形態では、組成物は、１５〜２５重量％のエチレン‐酢酸ビニル、１〜５重量％のステアリン酸亜鉛、及び７５〜８５重量％の炭酸カルシウムで構成される。
【００３０】
エチレン‐酢酸ビニルを用いて例示したが、所望の性能特性に応じて多様なベースポリマーを使用してよいことが理解されるだろう。ベースポリマーのための代替物としては、熱可塑性材料、熱硬化性材料及びエラストマが挙げられる。例えばいくつかの実施形態では、ベースポリマーはポリオレフィン（即ちポリプロピレン、ポリエチレン）であってよい。更に、ベースポリマーは、バイオプラスチックの製造に使用される、ある範囲の天然ポリマーから選択してよいことが理解されるだろう。例示的な天然ポリマーとしては、澱粉、セルロース及び脂肪族ポリエステルが挙げられるが、これらに限定されない。
【００３１】
炭酸カルシウムを用いて例示したが、代替的な微粒子フィラーを好適に使用してよいことが理解されるだろう。例示的な代替物としては、タルク、マイカ、カオリン、ウォラストナイト、長石及び水酸化アルミニウムが挙げられるが、これらに限定されない。
【００３２】
ハウジング１２が卵の殻の形状で提供されている図２を参照すると、ハウジング１２の、破断要素（図２において破断経路１６として示されている）を取り囲む部分である構造的領域１７の壁厚さは、０．５〜１．０ｍｍの範囲内であってよい。選択される壁厚さは、特に選択されたポリマー組成物に関する、成形工具を通した溶融流動性能に関して、成形（即ち射出成形）の容易さを含む多数の因子を考慮してよい。上述の例示的なポリマー組成物、即ち１５〜２５重量％のエチレン‐酢酸ビニル、１〜５重量％のステアリン酸亜鉛、及び７５〜８５重量％の炭酸カルシウムで構成される組成物に関して、良好な成形性能を達成するために、構造的領域１７に関して０．７〜０．８ｍｍの壁厚さを選択してよい。この組成物の場合、構造的領域１７に関する０．７〜０．８ｍｍの厚さはまた、輸送及び取り扱い中、特に子供が取り扱う場合に、ハウジング１２の完全性を維持するために十分な強度を提供することも分かっている。
【００３３】
ハウジング１２の内面１８に形成された複数の破断経路１６の配設は、突破機構２２によるハウジング１２の破壊のプロセスを促進する役割を果たす。破壊可能な卵の殻の形状で提供されるハウジング１２では、破断経路１６は一般に、第１のハウジング部材１２ａの破壊領域１９に設けられる。しかしながら、破断領域１９は、様々なハウジング部材１２ａ、１２ｂ、１２ｃのうちの１つ又は複数に設けてよいことが理解されるだろう。破断経路１６は、所望の破壊挙動に応じて、ランダムな又は規則的な（即ち幾何学的な）パターンのいずれで形成してよい。図１５〜１９Ｂに移ると、ハウジング１２に形成してよい多数の例示的な破断要素が示されている。
【００３４】
図１５は、破断要素が破壊領域１９の破断経路１６として示されている実施形態を示し、破断経路１６は、ハウジング１２の内面１８に形成された連続した（即ち相互接続した）及び不連続な（即ち行き止まりの）チャネル２１の組み合わせを含む。破壊を促進するために、チャネル２１は、破壊領域１９を通して、概ね連続した、中央に位置する破断経路（点線Ｃで示されている）を提供するように位置決めされる。破断経路１６は、構造的領域１７の壁厚さに比べて一般に４０〜６０％薄い、壁厚さが減少した領域を画定する。いくつかの実施形態では、破断経路は、周囲の構造的領域１７の壁厚さよりも５０％薄い壁厚さを示すように寸法設定される。従って、構造的領域１７において０．８ｍｍの壁厚さを有するハウジング１２を提供する場合、破断経路１６は一般に、０．４ｍｍの壁厚さを呈することになる。図示されているように、チャネル２１の幅は、その長さに沿って０．５〜１.５ｍｍの間で変化し、いくつかのチャネルは、その終端（即ち行き止まり）領域に向かって概ね減少する幅を呈する。
【００３５】
図１６は、破断要素が破壊領域１９の破断経路１６として示されている実施形態を示し、破断経路１６はランダムに位置決めされ、破断経路１６を形成するチャネル２１は、それを通して連続している（即ち相互接続されている）。図１５の実施形態と同様に、図１６の破断経路１６は、構造的領域１７の壁厚さに比べて一般に４０〜６０％薄い、壁厚さが減少した領域を画定する。いくつかの実施形態では、破断経路１６は、周囲の構造的領域１７の壁厚さよりも５０％薄い壁厚さを示すように寸法設定される。従って、構造的領域１７において０．８ｍｍの壁厚さを有するハウジング１２を提供する場合、破断経路１６は一般に、０．４ｍｍの壁厚さを呈することになる。チャネル２１の幅は、特に２つ以上のチャネルが交差する領域において変化し得るが、チャネルは一般に０．８〜１．２ｍｍの範囲の幅を有するように形成される。
【００３６】
図１７Ａは、破断要素が破壊領域１９の破断経路１６として示されている実施形態を示し、破断経路１６はある幾何学的パターンで配設され、破断経路１６を形成するチャネル２１は、それを通して連続している（即ち相互接続されている）。図示されているように、上記幾何学的パターンは、格子状に配設された複数の六角形を含み、これらの六角形の外周（即ち側部）が破断経路１６を画定する。各六角形は更に、対向する頂点又は対向する側部を通って六角形を二分する中央破断経路１６ａを備える。図１５の実施形態と同様に、図１７Ａの破断経路１６／１６ａは、構造的領域１７の壁厚さに比べて一般に４０〜６０％薄い、壁厚さが減少した領域を画定する。いくつかの実施形態では、破断経路１６／１６ａは、周囲の構造的領域１７の壁厚さよりも５０％薄い壁厚さを示すように寸法設定される。従って、構造的領域１７において０．８ｍｍの壁厚さを有するハウジング１２を提供する場合、破断経路１６／１６ａは一般に、０．４ｍｍの壁厚さを呈することになる。各幾何学的形状内において、周囲の破断経路１６によって範囲を画定された区域は、均一な壁厚さで形成してよい。ある代替的な構成では、周囲の破断経路１６によって範囲を画定された領域２５は、図１７ｂに示すように先細であってよい。図示されているように、各領域２５は、第１の厚さを有する（即ち構造的領域１７の厚さと同様の又はそれ以上の）中央リッジ２７と、中央リッジ２７から隣接する破断経路１６に向かう方向に延在する複数の先細壁２９とを含む。図１５及び１６の実施形態に比べて、チャネル２１の幅は、破断経路１６がある幾何学的パターンで配設されている場合、より均一である。チャネルの幅は変化し得るが、いくつかの実施形態におけるチャネルは、およそ０．８ｍｍの幅を有するよう形成してよい。
【００３７】
図１８は、破断領域１９が、密接に関連しているものの不連続でありかつランダムに位置決めされた、一連の破断要素（破断ユニット２３として示されている）を含む実施形態を示す。各破断ユニット２３は一般に、Ｔ又はＹ字型チャネルの形状を示し、０．５〜１．５ｍｍの幅を有する。破断ユニット２３は、構造的領域１７の壁厚さに比べて一般に４０〜６０％の領域において、壁厚さが減少した領域を画定する。いくつかの実施形態では、破断ユニット２３は、周囲の構造的領域１７の壁厚さよりも５０％薄い壁厚さを示すように寸法設定される。従って、構造的領域１７において０．８ｍｍの壁厚さを有するハウジング１２を提供する場合、破断ユニット２３は一般に、０．４ｍｍの壁厚さを呈することになる。
【００３８】
図１９Ａ及び１９Ｂを参照すると、破断領域１９を確立するために破断要素の不連続なアレイが設けられている、更なる代替実施形態が示されている。図１９Ａ及び１９Ｂは、ハウジング１２に形成された円形及び／又は楕円形凹部の形状の複数の破断要素（破断ユニット２３として示されている）を示す。上記円形及び／又は楕円形破断ユニット２３は、概ねランダムな破断挙動を達成するために、様々なサイズ及び配向で設けてよい。更に破断ユニット２３は、図１９Ａに示すように概ねランダムなパターンで、又は図１９Ｂに示すように規則的反復パターンで、配設してよい。図１９Ａ及び１９Ｂの破断ユニット２３は、構造的領域１７の壁厚さに比べて一般に４０〜６０％薄い、壁厚さが減少した領域を画定する。いくつかの実施形態では、破断ユニット２３は、周囲の構造的領域１７の壁厚さよりも５０％薄い壁厚さを示すように寸法設定される。従って、構造的領域１７において０．８ｍｍの壁厚さを有するハウジング１２を提供する場合、破断ユニット２３は一般に、０．４ｍｍの壁厚さを呈することになる。
【００３９】
破断要素（破断経路１６／破断ユニット２３）は、破壊領域１９内の面積の２０〜８０％を占めてよい。ハウジングが比較的高い衝撃力で破断する必要があるいくつかの実施形態では、破断経路／ユニットは、破壊領域１９内の面積の２０〜３０％を占めてよい。反対に、ハウジング１２を比較的小さい衝撃力で破断する必要があり、破断要素は、破断領域１９内の面積の７０％〜８０％を占めてよい。図１５〜１９Ｂに示す実施形態では、破断要素は、破壊領域１９内の面積のおよそ４０〜６０％を占める。ハウジング１２の構造的領域に対する破断要素の比率の選択は、使用される材料、ハウジングの破断に必要な力、及びハウジングの形状を含むがこれらに限定されない多数の因子を考慮することになる。例えば、ポリマー組成物が、エチレン‐酢酸ビニルに比べて高い強度特性を有するベースポリマーを組み込んでいるある実施形態では、ハウジングは、同一の衝撃条件下でのハウジングの破断を達成するために、より高い破断要素の比率（即ち７０％〜８０％）を必要とし得る。他の実施形態は、目的とする用途、及びハウジングの破断を達成するために使用される衝撃力に応じて、２０％未満又は８０％超であり得る破断要素の比率を採用してよいことが理解されるだろう。
【００４０】
ハウジング１２を、卵の殻の形状で例示してきたが、上述の材料及び成形特徴を、他のハウジング構成及び消費者向け包装を含むがこれらに限定されない別の製品に適用してよいことが理解されるだろう。例えば、玩具キャラクターがアクションフィギュアの形態で提供される場合、ハウジングを建物の形状で提供してよく、上記アクションフィギュアは、起動時に内側からハウジングに衝撃を与えるよう構成される。玩具／ハウジングの多数の組み合わせが可能となり得ることが理解されるだろう。
【００４１】
玩具キャラクター１４は、図３ではハウジング部材１２ｃ上にのみ設置されているものとして図示されている。図４及び５を参照すると、玩具キャラクター１４は、玩具キャラクターフレーム２０、突破機構２２、突破機構動力源２４及びコントローラ２８を含む。突破機構２２は、ハウジング１２を破壊して（例えば破断経路１６のうちの少なくとも１つに沿ってハウジング１２を破断して）玩具キャラクター１４を露出させるように動作可能である。突破機構２２は、ハンマー３０、作動レバー３２及び突破機構カム３４を含む。ハンマー３０は、ハンマー３０がハウジング１２から離間している引き込み位置（図４）と、ハウジング１２を破壊するためにハンマー３０が位置決めされる前進位置（図５）との間で可動である。
【００４２】
作動レバー３２は、ピン継手４０を介して玩具キャラクターフレーム２０に枢動可能に設置され、ハンマー３０が引き込み位置に移動できるようにするように作動レバー３２が位置決めされるハンマー引き込み位置（図４）と、作動レバー３２がハンマー３０を駆動するハンマー駆動位置（図５）との間で可動である。作動レバー３２は、作動レバー付勢部材３８によって、ハンマー駆動位置へと付勢される。換言すると、作動レバー３２は、付勢部材３８によって、ハンマー３０を延伸位置へと駆動するように付勢される。作動レバー３２は、カム係合表面４４を有する第１の端部４２と、ハンマー係合表面４８を有する第２の端部４６とを有し、これらについては以下で更に説明する。
【００４３】
突破機構カム３４は、モータ３６の出力シャフト（４９で示されている）上に直接静置してよく、従ってモータ３６によって回転可能である。突破機構カム３４は、作動レバー３２の第１の端部４２上のカム係合表面４４と係合するカム表面５０を有する。突破機構カム３４がモータ３６によって（図４及び５に示す図では時計回り方向に、図４に示す位置から図５に示す位置へと）回転されると、カム表面５０上の、５１で示されている段差付き領域は、カム表面５０を作動レバー３２から突然落下させ、これにより付勢部材３８は作動レバー３２を加速させて、比較的高速でハンマー３０に衝突させることができ、これにより、ハンマー３０を比較的高速でフレーム２０から前方に（外向きに）駆動し、これは、ハンマー３０がハウジング１２に当たるときに高い衝突エネルギを提供して、ハウジング１２の破壊を促進する。いくつかの実施形態では、これは、鳥が卵から出る道筋を嘴でつついて開けるような見た目を示すことになる。
【００４４】
突破機構カム３４が回転し続けるため、カム表面５０は作動レバー３２を、図４に示す引き込み位置へと引き戻す。作動レバー３２のハンマー係合表面４８は、第１の磁石５２ａを有してよく、これはハンマー３０の第２の磁石５２ｂに引きつけられる。その結果、作動レバー３２の引き戻し中に、作動レバー３２はハンマー３０を、図４に示す引き込み位置へと引き戻す。
【００４５】
突破機構カム３４は、モータ３６によって回転可能であり、それにより、ハンマー３０からの作動レバー３２の引き込みと、それに続く、作動レバー付勢部材３８によってハンマー３０内へと圧入するための作動レバー３２の解放とを、周期的に引き起こす。従ってモータ３６及び作動レバー付勢部材３８は一体として、突破機構動力源２４を構成する。
【００４６】
作動レバー付勢部材３８は、図示されているような螺旋コイル引張ばねであってよく、あるいは他のいずれのタイプの付勢部材であってよい。
【００４７】
更に、玩具キャラクター１４は、図６において５３で示す回転機構を含む。回転機構５３は、ハウジング１２内で玩具キャラクター１４を回転させるよう構成される。コントローラ２８は、ハウジング１２を複数の部位において破壊するために突破機構を動作させた場合に、回転機構５３を動作させるよう構成される。
【００４８】
回転機構５３は、いずれの好適な回転機構であってよい。図６に示す実施形態では、回転機構５３は、底部ハウジング部材１２ｃに固定設置された歯車５４を含む。モータ３６の出力シャフト４９は、モータ３６の両側から延伸して第１のホイール５６ａ及び第２のホイール５６ｂを駆動する、デュアル出力シャフトである。ホイールのうちの一方には（図示されている例では第１のホイール５６ａには）、駆動歯部５８がある。モータ３６が出力シャフト４９を回転させると、第１のホイール５６ａ上の駆動歯部５８が、出力シャフト４９の回転１回につき１回、歯車５４と係合し、玩具キャラクター１４を駆動してハウジング１２に対して回転させる。ブッシュ６０は、歯車５４の軸（Ａｇで示す）の周りでの回転のために、玩具キャラクター１４を支持する。図示されている例では、ブッシュ６０は、歯車５４のシャフト６２と、摺動可能かつ回転可能に係合し、また図６Ａに示すように、底部ハウジング部材１２ｃの支持表面６４上で軸方向に支持される。玩具キャラクター１４は、玩具キャラクターフレーム２０のアパーチャ６８と係合するブッシュ６０の突出部６６を介して、ブッシュ６０に対して解放可能に保持できる。玩具キャラクター１４をブッシュ６０から取り外したい場合、ユーザは玩具キャラクター１４を突出部６６から引っ張って外してよい。ブッシュ６０はまた、ホイール５６ａ及び５６ｂを、ハウジング１２から離間した状態で支持する。その結果、玩具キャラクター１４がハウジング１２内にある間、ブッシュ６０が底部ハウジング部材１２ｃ上で摺動することによって、ホイール５６ａ及び５６ｂがハウジング部材１２ｃと係合することなく、玩具キャラクター１４の回転の送り（ｉｎｄｅｘｉｎｇ）が行われる。
【００４９】
以上の説明から分かるように、出力シャフト４９の回転１回につき１回、回転機構５３は玩具キャラクター１４を、選択された角度量だけ回転させ（即ち回転機構５３は玩具キャラクター１４の回転送りを行い）、作動レバー３２は引き込み位置へと引き戻され、その後解放されて、ハンマー３０を前方へと駆動してハウジング１２と係合し、ハウジング１２を破壊する。従って、モータ３６の連続的な回転により、玩具キャラクター１４は最終的に、ハウジング１２の全外周を突破する。
【００５０】
玩具キャラクター１４がハウジングを突破すると、ユーザは、玩具キャラクター１４がハウジング１２から脱出するのを補助できる。いくつかの実施形態では必要に応じて、ハウジング部材１２ｃが残り、玩具キャラクター１４のための基部として機能してよいことに留意されたい。玩具キャラクター１４がハウジング１２から脱出し、ハンマー３０がハウジング１２を突破する必要がなくなったら、ユーザは少なくとも１つの解放部材を、突破前位置から突破後位置へと移動させてよい。図５に示す例では、２つの解放部材、即ち第１の解放部材７０ａ及び第２の解放部材７０ｂが存在する。玩具キャラクター１４を露出させるためのハウジング１２の破壊前、解放部材７０ａ及び７０ｂは突破前位置にある。突破前位置にある場合、第１の解放部材７０ａは、作動レバー付勢部材３８の第１の端部（７２で示されている）を玩具キャラクターフレーム２０に接続する。付勢部材３８の第２の端部（７４で示されている）は作動レバー３２に接続され、これにより付勢部材３８は、ハンマー３０を（作動レバー３２の作動によって）前方に駆動してハウジング１２を破壊するために接続される。図示されている例における突破後位置への解放部材７０ａの運動は、解放部材７０ａの除去を必然的に伴い、これにより付勢部材３８は、図７に示すように、作動レバー３２及びこれに伴ってハンマー３０を駆動できなくなる。その結果、突破機構カム３４の回転を引き起こすモータ３６の回転が発生しているとき、カム表面５０の段差付き領域５１の通過によって作動レバー３２がハンマー３０内へと圧入されない。
【００５１】
図４を参照すると、第２の解放部材７０ｂは、突破前位置にある場合、ロックレバー７８をロック位置に保持することにより、ハンマー付勢構造体８０を非使用位置に保持する。この非使用位置では、ハンマー付勢構造体８０は、作動レバー３２を固定保持し、作動レバー３２と一体として作用する。図７及び８を参照すると、第２の解放部材７０ｂが突破前位置から突破後位置へと移動すると、ロックレバー７８はハンマー付勢構造体８０を解放する。ハンマー付勢構造体８０は、作動レバー３２に（例えばピン継手８４を介して）枢動可能に接続された枢動アーム８２と、枢動アーム付勢部材８６とを含み、この枢動アーム付勢部材８６は、作動レバー３２と枢動アーム８２との間に作用して枢動アーム８２をハンマー３０へと付勢し、ハンマー３０を図７に示す延伸位置へと付勢する、圧縮ばね又は他のいずれの好適なばねであってよい。その結果、ハンマー３０を玩具キャラクターの外見に統合できる。図示されている実施形態では、玩具キャラクター１４が鳥の形状であり、ハンマー３０は鳥の嘴である。ハンマー３０は付勢部材８６によって上向きに付勢され、延伸位置でロックされないため、図８に示すように、（例えばユーザによる）外力によって、付勢部材８６の付勢力に対抗して押すことができ、これにより、玩具キャラクター１４で遊ぶ子供を突いて怪我させるリスクを低減できる。
【００５２】
玩具キャラクター１４によるハウジング１２の突破を開始するために、いずれの好適なスキームを使用してよい。例えば図９に示すように、少なくとも１つのセンサを玩具組立体１０に設けてよく、これは、玩具キャラクター１４がハウジング１２にある間に、ユーザとの対話を検出する。例えば容量性センサ９０をハウジング部材１２ｃの底部に設けることによって、ユーザによる保持を検出できる。玩具キャラクターフレーム２０にマイクロフォン９２を設けることによって、ユーザによる音声入力を検出できる。玩具キャラクター１４の前面にプッシュボタン９４を設けてよい。玩具キャラクター１４に傾斜センサ９６を設けることにより、ユーザによる玩具キャラクター１４の傾斜を検出できる。コントローラ２８は、ユーザが玩具組立体１０と行った対話の回数を計数して、選択された条件が満たされている場合にハウジング１２を破壊して玩具キャラクター１４を露出させるよう、突破機構２２を動作させてよい。例えば上記条件は、選択された回数のユーザとの対話、例えば１２０回の対話であってよい。マイクロフォン９２を用いた玩具キャラクター１４との対話は、コントローラ２８が認識するコマンドをユーザが言うことを必然的に伴ってよく、あるいはマイクロフォン９２が受信することになる手拍子及び叩く音等のいずれの種類の雑音をユーザが出すことを必然的に伴ってよい。対話は、ユーザがハウジング１２を、容量性センサがそれを受信する位置において保持する又は触ることを必然的に伴ってよい。別の例では、対話は、ユーザが、ハウジング１２上の正確な点を押圧することによって、玩具キャラクター１４のプッシュボタン９４を押圧することを必然的に伴ってよく、上記点は、押圧力をプッシュボタン９４に伝達できるよう十分に柔軟かつ弾性であってよい。プッシュボタン９４は、玩具キャラクター１４内にある、ハウジング１２を通して視認するために十分に明るいＬＥＤ９５の動作を制御してよい。ＬＥＤ９５は、（コントローラ２８によって制御された）異なる複数の色で発光して、玩具キャラクター１４とユーザとの間で発生している対話を含む複数の因子に左右される玩具キャラクター１４の「気分（ｍｏｏｄ）」をユーザに対して示すことができる。他のセンサを用いてユーザとの対話を検出してよい。例えば熱センサを玩具キャラクター１４に設けてよく（例えばフレーム２０に設置してよく）、又はハウジング１２に連結して（例えばハウジング１２の内面に接触させて）設けてよい。熱センサは、ハウジング１２の選択された部分又はキャラクター１４の選択された部分が選択された温度に到達する時点を検出することによって、ユーザが、ハウジング１２を保持することによって又は玩具組立体１０を熱源の近傍に配置したことによって、玩具組立体１０と対話していることを示すことができる。ユーザとの対話を検出するために使用してよい更に他のセンサとしては例えば、選択された波長及び／又は強度の光を検出する光センサを挙げることができ、これは、ユーザが、上記選択された波長及び／又は強度を有する光源を、上記光センサが検出できる位置に配置したことを示す。ユーザとの対話を検出するために使用してよい更に他のセンサとしては例えば、Ｂｌｕｅｔｏｏｔｈ（登録商標）又はＢＬＥ（低エネルギＢｌｕｅｔｏｏｔｈ（Ｂｌｕｅｔｏｏｔｈ  Ｌｏｗ  Ｅｎｅｒｇｙ））レシーバ等の無線信号レシーバを挙げることができ、これは、選択されたタイプの信号を送信できるデバイス（例えばスマートフォン）からユーザが送信した無線信号を受信できる。
【００５３】
玩具キャラクター１４がハウジング１２の外側にある場合、玩具キャラクター１４は、ハウジング１２内で実施する運動とは異なる運動を実施してよい。例えば玩具キャラクター１４は、少なくとも１つの枝状部９６を有してよい。図示されている例では、２つの枝状部９６が設けられており、これは翼として図示されているが、いずれの好適なタイプの枝状部であってよい。ハウジング内にある場合、翼９６は、図１０Ａ、１０Ｂ及び１０Ｃに示すように、翼９６が非機能状態となる突破前位置に位置決めされ、ハウジングの外側にある場合、図１０Ｄに示すように、翼９６が機能状態となる突破後位置に位置決めされる。図１０Ｄに示すように、翼９６は、翼コネクタリンク１００を介してキャラクターフレーム２０に接続され、この翼コネクタリンク１００は、その一端において、関連する翼９６に対して枢動可能に設置され、またもう一端において、キャラクターフレーム２０に対して枢動可能に設置される。各翼９６に関して、翼ドライバアーム１０４はその一端において、関連する翼９６に対して枢動可能に接続され、またもう一端において翼ドライバアームホイール１０６を有する。翼ドライバアームホイール１０６は、玩具キャラクター１４が突破後位置にある場合、玩具キャラクターのメインホイール５６ａ及び５６ｂ上に静置される。玩具キャラクターのメインホイール５６ａ及び５６ｂは、その上にカム外形を有し、各ホイール上に少なくとも１つの葉状部１０８を有する（図６に示されており、この図６では２つの葉状部１０８が各ホイールに設けられている）。葉状部１０８は２つの目的を有する。第一には、モータ３６が回転すると、ホイール５６ａ及び５６ｂが玩具キャラクター１４を地面に沿って駆動し、葉状部１０８は玩具キャラクター１４を揺動させることにより、玩具キャラクター１４が地面に沿って転がる際に玩具キャラクター１４に生物により近い外見を付与する。第二には、ホイール５６ａ及び５６ｂが回転すると、葉状部１０８の存在により、ホイール５６ａ及び５６ｂが翼ドライバカムとして作用し、これは、翼ドライバアームホイール１０６がメインホイール５６ａ及び５６ｂのカム外形を辿るに従って翼ドライバアーム１０４を上下に駆動する。この翼ドライバアーム１０４の上下運動は、翼９６を上下に枢動するように駆動し、玩具キャラクター１４に、玩具キャラクター１４が地面に沿って移動するに従ってその翼を羽ばたくような外見を付与する。好ましくは、第１のホイール５６ａ上の葉状部１０８は、第２のホイール５６ｂ上の葉状部１０８に対して回転がずらされており、これにより玩具キャラクター１４は、玩具キャラクターが転がる際に横方向に揺動して、その運動の生き物に近い外見を増強する。
【００５４】
各翼コネクタリンク１００に関して、翼コネクタリンク付勢部材１０２（図１０Ｃ）は、関連する翼コネクタリンク１００を付勢することによって、関連する翼９６を下向きに付勢し、キャラクターが図１０Ｄに示す突破後位置にあるときに、ドライバアームホイール１０６とメインホイール５６ａ及び５６ｂとの間の接触を維持する。
【００５５】
枝状部９６が翼である、図示されている例では、ドライバアーム１０４は翼ドライバアームと呼ばれ、ドライバアームホイール１０６は翼ドライバアームホイール１０６と呼ばれ、ホイール５６ａ及び５６ｂは翼ドライバカムと呼ばれる。しかしながら、翼９６が他のいずれの好適なタイプの枝状部である場合、ドライバアーム１０４及びドライバアームホイール１０６は、より広義に、それぞれ枝状部ドライバアーム１０４及び枝状部ドライバアームホイール１０６と呼ばれる場合があり、またホイール５６ａ及び５６ｂは枝状部ドライバカムと呼ばれる場合があることが理解されるだろう。
【００５６】
図示されている例では、モータ３６は、ホイール５６ａ及び５６ｂを駆動することによって枝状部９６を駆動する。従って、枝状部９６が突破後位置にある場合、モータ３６は枝状部９６に動作的に接続される。
【００５７】
よってモータ３６は、枝状部動力源である。しかしながらモータ３６は、好適な枝状部動力源の単なる一例であり、代替として他のいずれの好適なタイプの枝状部動力源を用いて枝状部９６を駆動してよい。
【００５８】
翼９６が突破前位置にある場合（図１０Ａ〜１０Ｃ）、リンク１００は必要に応じてキャラクターフレーム２０に対してヒンジ留めしてよく、これにより翼はハウジング１２の範囲内に収まる。図示されている例では、翼コネクタリンク１００は、付勢部材１０２の付勢力に対抗して上向きにヒンジ留めされる。従ってハウジング１２内にある間、翼９６はその非機能位置に留まり、ここでは翼ドライバアーム１０４は、翼ドライバアームホイール１０６が玩具キャラクターのメインホイール５６ａ及び５６ｂから係合解除されるように保持される。従ってモータ３６（即ち枝状部動力源）は、枝状部９６が突破前位置にある場合、枝状部９６から動作的に接続解除される。その結果、玩具キャラクター１４がハウジング１２内にあり、かつモータ３６が（例えば突破機構２２の運動を引き起こすために）回転する場合、メインホイール５６ａ及び５６ｂの回転は、翼９６の運動を引き起こさない。その結果、翼９６は、キャラクター１４がハウジング１２内にある間、モータ３６の動作中にハウジング１２に対する損傷を引き起こさない。
【００５９】
図示されているモータ３６は、１つ又は複数のバッテリであってよいエネルギ源を含む。
【００６０】
ハウジング１２からの玩具キャラクター１４の突破前にユーザが玩具組立体１０で遊ぶことができる方法を示す、図１１を参照する。内部の玩具キャラクター１４を示すために、図１１では、下側ハウジング部材１２ｂは透明なものとして示されている。第１の時点において、ユーザは、いずれの好適な手段によって、例えばスマートフォン１５２のカメラ１５０によって、玩具組立体１０をスキャンすることにより、玩具組立体１０の第１の進行度スキャン１５３を生成する（即ちこれは、スマートフォンカメラ１５０によって撮影された玩具組立体１０の画像であってよい）。次にユーザは、玩具組立体１０の登録の一部として、又は玩具組立体１０の登録後に、１５６で示されているインターネット等のネットワークを介して、上記スキャン１５３をサーバ１５４にアップロードしてよい。サーバ１５４は、アップロードされたスキャンに応答して、ハウジング１２内の玩具キャラクター１４の発育の第１の仮想ステージを表す出力画像１５８ａを生成し、ユーザに、玩具キャラクター１４がハウジング１２内で成長する生命体であるという印象を伝達する。出力画像１５８ａは電子的に（例えばスマートフォン１５２に）表示してよい。ユーザは、その後の第２の時点において、玩具組立体１０の第２の進行度スキャン１５３を撮影し、これをサーバ１５４にアップロードしてよく、するとサーバ１５４は、ハウジング１２内の玩具キャラクター１４の発育の第２の仮想ステージを表す出力画像１５８ｂ（図１３Ｂに示されている）を生成する。この発育の第２の仮想ステージにおいて、玩具キャラクター１４は、発育の第１の仮想ステージにおいてよりも更に発育したような外見を有してよい。
【００６１】
図１４は、図１１〜１３に示す動作に従ってユーザと玩具組立体１０との間の対話を管理する方法２００のフローチャートである。方法２００は２０１で始まり、玩具組立体１０の登録をユーザから受信するステップ２０２を含む。これは、玩具組立体１０のモデル番号又はシリアル番号に関する情報をユーザから受信することによって行ってよい。ステップ２０４は、ステップ２０２の後に、図１２に示すような玩具組立体の第１の進行度スキャンをユーザから受信するステップを含む。ステップ２０６は、図１３Ａに示すような仮想発育の第１のステージの玩具キャラクター１４の画像を表示するステップを含む。ステップ２０８は、ステップ２０６の後に、これもまた図１２に示すような玩具組立体１０の第２の進行度スキャンをユーザから受信するステップを含む。ステップ２１０は、図１３Ｂに示すような、発育の第１のステージを示す第１の出力画像１５８ａとは異なる、仮想発育の第２のステージにおける玩具キャラクター１４の第２の出力画像１５８ｂを表示するステップを含む。
【００６２】
玩具組立体１０がコントローラ及びセンサを含み、また玩具キャラクター１４内に突破機構を含むものとして説明したが、多数の他の構成も可能である。例えば玩具組立体１０は、コントローラ又はいずれのセンサを有しないものとして提供してよい。その代わりに、玩具キャラクター１４に、ハウジング１２の外側から作動させることができる電源スイッチ（例えばこのスイッチは、ハウジング１２を通ってハウジング１２の外部へと延伸するレバーによって動作させることができる）によって制御される電気モータによって動力供給してよい。
【００６３】
突破機構２２は、玩具キャラクター１４内に設けられているものとして図示されている。この位置は、その中に突破機構２２を位置決めできるハウジング１２に関連する位置の単なる一例であることが理解されるだろう。他の実施形態では、突破機構を、ハウジング１２に連結したまま、ハウジング１２の外側に位置決めできる。例えば、（図示されている例の場合のように）ハウジング１２が卵のように成形されている実施形態では、卵を保持できる「巣」を設けることができる。この巣は、巣に組み込まれた突破機構を有してよく、これは、その中の玩具キャラクター１４を可視化するために卵を破壊するよう、作動させることができる。従ってある態様では、ハウジング１２等のハウジングと、ハウジング内の玩具キャラクターとを含む、玩具組立体を提供してよく、上記玩具キャラクターは、玩具キャラクター１４と同様であるものの、上記ハウジングと連結された突破機構を備え、この突破機構はハウジング内にあってもハウジングの外側にあってもよく、又は部分的にハウジング内にあっても部分的にハウジングの外側にあってもよく、ハウジング１２を破壊して玩具キャラクター１４を露出させるよう動作可能である。突破機構は、ハウジング１２に連結された突破機構動力源（例えばばね又はモータ）によって動力供給される。（例えば図３に示すような）いくつかの実施形態では、突破機構はハンマー（例えばハンマー３０）を含み、このハンマーを駆動してハウジング１２を破壊するために、突破機構動力源がこのハンマーに動作的に接続される。（例えば図４に示すような）いくつかの実施形態では、上記ハンマーを往復運動させてハウジング１２を破壊するために、突破機構動力源が上記ハンマーに動作的に接続される。
【００６４】
本発明の別の態様は、突破前位置にある場合及び突破後位置にある場合の、玩具キャラクター１４の運動に関する。より具体的には、玩具キャラクター１４は、例えば枝状部９６、メインホイール５６、枝状部コネクタリンク１００及び関連する付勢部材１０２、枝状部ドライバアーム１０４、ドライバアームホイール１０６、ハンマー３０、作動レバー３２、突破機構カム３４、モータ３６並びに作動レバー付勢部材３８を含む、玩具キャラクター１４の全ての運動要素を含む、機能性機構セットを含むと言うことができる。玩具キャラクター１４はハウジング１２から取り外し可能であり、突破後位置に位置決め可能である。玩具キャラクター１４が突破前位置にある場合、上記機能性機構セットは、第１の運動のセットを実施するよう動作可能である。図示されている例では、枝状部動力源（即ちモータ３６）は、枝状部９６から動作的に接続解除され、従って枝状部動力源３６の運動は枝状部９６の運動を駆動しない。しかしながら突破前位置では、突破機構動力源は（ハンマー３０を往復運動させ、ハウジング１２内で玩具キャラクター１４の回転送りを行うことによって）突破機構２２の運動を駆動することにより、ハウジング１２を破壊して玩具キャラクター１４を露出させる。玩具キャラクター１４が突破後位置にある場合、上記機能性機構セットは、第１の運動のセットとは異なる第２の運動のセットを実施するよう動作可能である。例えば玩具キャラクター１４が突破後位置にある場合、枝状部動力源３６は枝状部９６に動作的に接続されて枝状部９６の運動を駆動できるが、突破機構２２は突破機構動力源によって駆動されない。
【００６５】
玩具組立体を用いた遊びのパターンのいくつかの任意の態様について以下に説明する。玩具キャラクター１４がハウジング１２内にある間（玩具キャラクター１４が依然として発育の突破前ステージにある場合）、ユーザは複数の方法で玩具キャラクターと対話できる。例えばユーザはハウジング１２を叩くことができる。この叩く動作は、玩具キャラクター１４上のマイクロフォンによって拾うことができる。コントローラ２８はマイクロフォンへの入力を解釈でき、この入力が叩く動作によるものであったことを決定すると、コントローラ２８は叩く音である音声をスピーカーから出力でき、これにより、玩具キャラクター１４がユーザに対して叩く動作を返しているかのように見える。あるいは、又は更に、コントローラ２８は、コントローラ２８がハンマー３０の速度を制御できるかどうかに応じて、上述のようなハンマー３０の運動を開始させることにより、ハンマー３０をハウジング１２の内壁に対して、ユーザが感知できる程度に十分に軽く、ただしハウジング１２を破壊する恐れがあるほどには強くなく、打ち付けることができる。コントローラ２８は、ユーザが一定時間内に、又は何らかの他の基準に従って、叩く動作をあまりに多くの回数実施した場合に、いらいらした状態を示す音声を発するようにプログラム（又はその他の方法で構成）してよい。任意に、ユーザが玩具組立体１０を初めて上下逆にした場合、コントローラ２８は、玩具キャラクター１４のスピーカーから「ウィー（Ｗｅｅｅ！）」という音声を発するようプログラムしてよい。ユーザが玩具組立体１０を、一定時間内に選択された回数を超えて上下逆にした場合、コントローラ２８は、玩具キャラクター１４が不安を感じていることを示す音声（又は他の何らかの出力）を発するようプログラムしてよい。任意に、コントローラ２８が容量性センサを介して、ユーザがハウジング１２を保持していることを検出した場合、コントローラ２８は、玩具キャラクター１４から心拍音を発するようプログラムしてよい。任意に、コントローラ２８は、いずれの好適な基準を用いて、寒いことを示すよう構成してよく、また、ユーザがハウジング１２を保持している又は擦っていることをコントローラ２８が検出した場合に、寒いことを示すのを止めるようプログラムしてよい。任意に、コントローラ２８は、玩具キャラクター１４がしゃっくりをしていることを示す音声を発し、ユーザから十分な回数の叩く動作を受信するとこれを示すことを止めるようプログラムしてよい。コントローラ２８は、玩具キャラクター１４が退屈し、遊びたがっていることをユーザに示すようプログラムしてよく、また、ユーザが玩具組立体１０と対話しているときにこのような指示を止めるようプログラムしてよい。
【００６６】
任意に、コントローラ２８が、発育の突破前ステージを離れてハウジング１２を突破するための基準が満たされたと決定した場合、コントローラ２８は、選択されたシーケンスでＬＥＤを発光させてよい。例えばＬＥＤを、虹のシーケンスで（赤、オレンジ、黄、緑、青、紫の順で）発光させてよい。その後、玩具キャラクター１４は、選択された回数だけハウジング１２を打ち始めてよく、その後玩具キャラクター１４は停止して、ユーザが玩具キャラクター１４と更に対話するのを待ち、その後再び選択された回数だけハウジング１２を打ち始めてよい。
【００６７】
任意に、玩具キャラクター１４が最初にハウジング１２を突破した後、コントローラ２８は、「孵化」後（即ち玩具キャラクター１４がハウジング１２から解放された後）の発育の第１のステージにおいて作用して、赤ちゃんのような音声を発し、また例えば円形に旋回することしかできない等の赤ちゃんのような動きをするようにプログラムしてよい。この第１のステージの間、コントローラ２８は、玩具キャラクター１４を撫でること、玩具キャラクター１４に給餌すること、玩具キャラクター１４に噫気させること、玩具キャラクター１４をあやすこと、玩具キャラクター１４が病気の指標である出力を発した場合に玩具キャラクター１４を介抱すること、昼寝のために玩具キャラクター１４を横たえること、及び玩具キャラクターが退屈の指標である出力を発した場合に玩具キャラクター１４と遊ぶことを象徴する選択された方法で、玩具キャラクター１４と対話することをユーザに要求するようプログラムしてよい。この第１のステージでは、玩具キャラクター１４は、選択された音量を超える音声による恐怖を示す出力を発してよい。このステージでは、玩具キャラクターは一般に、ユーザが言語によって玩具キャラクターと通信することを試みた場合に、喉を鳴らす音等の赤ちゃんのような音声を発してよい。
【００６８】
任意に、第１のステージ中にいくつかの基準が満たされた（例えば十分な時間が経過した、又はユーザと玩具キャラクター１４との間で十分な回数の対話（例えば１２０回の対話）が行われた）後、コントローラ２８は、その動作モードを「孵化」後（即ち玩具キャラクター１４がハウジング１２から解放された後）の第２のステージへと変化させるようプログラムしてよい。任意に、ＬＥＤは再び虹のシーケンスを発することによって、上記基準が満たされていること、及び玩具キャラクターがその発育のステージを変化させていることを示す。
【００６９】
この発育の第２のステージでは、玩具キャラクター１４は、直線状に運動でき、また円形に運動できる。更に玩具キャラクター１４が発する音声は、より成長したもののように聞こえるものであってよい。孵化後の発育の第２のステージの最初、コントローラ２８は、玩具キャラクター１４を直線状に、ただし滑らかではなく運動するように駆動するようプログラムしてよく、モータ３８は、歩くことを学習している子供の外見を与えるよう、ランダムに駆動及び停止させてよい。時間が経過すると、モータ３８は停止がより少なくなるように駆動され、これは玩具キャラクター１４に、より成長した「歩く」能力の外見を与える。この発育の第２のステージでは、玩具キャラクター１４は、ユーザが玩具キャラクター１４に話しかける際に使用する抑揚で音声を発することができる。またこの発育の第２のステージでは、玩具キャラクター１４との対話を伴うゲームのロックが解除され、ユーザがこれをプレイできる。
【００７０】
図２０は、本開示の別の実施形態による突破機構３００を示す。突破機構３００は、一般にカップ状のベース部材３０４を含み、これは特徴部分と、その側壁のプランジャロック用凹部３０８と、その基部壁のスロット３１２とを有する。プランジャ部材３１６は、管状本体３２０及び丸型キャップ３２４を有する。プランジャ部材３１６の管状本体３２０の外周は、ベース部材３０４の側壁の内周よりも小さくなるように寸法設定され、これにより管状本体３２０は必要に応じて、ベース部材３０４内で側方に変移できる。本体３２０の近位端（即ち丸型キャップ３２４から対向する端部）の、管状本体３２０の外側表面に沿った特徴部分、突起３２８は、ベース部材３０４のプランジャロック用凹部３０８内に嵌合するようにサイズ設定される。
【００７１】
特にばね３３２である付勢要素は、プランジャ部材３１６の管状本体３２０の内側に嵌め込まれ、プランジャ部材３１６とベース部材３０４との間に付勢力を印加する。カラー３３６が、プランジャ部材３１６の管状本体３２０の周囲に（例えば熱接着、接着剤又は他のいずれの好適な手段によって）設置され、カラー３３６に対する突起３２８の衝突によってプランジャ部材３１６がベース部材３０４から完全に出てしまうのを防止する。ばね３３２は、プランジャ部材３１６が引き込み位置にある場合、プランジャ部材３１６の丸型キャップ３２４とベース部材３０４の基部壁との間で圧縮された状態となり、上記引き込み位置では、図２５に示すように、プランジャ部材３１６はベース部材３０４内にある。
【００７２】
解放要素、即ち楔３４０は、プランジャ部材３１６がベース部材３０４に完全に挿入されたときにスロット３１２に挿入され、これにより、プランジャ部材３１６の管状本体３２０を、ベース部材３０４の内部の片側に対して保持し、突起３２８をプランジャロック用凹部３０８内に位置決めする。楔３４０に沿ったリッジ３４４は、スロット３１２内への楔３４０の挿入を制限する。
【００７３】
図２１は、圧縮状態の突破機構３００を示し、ここでプランジャ部材３１６はベース部材３０４内の引き込み位置にあり、ばね３３２が圧縮されている。楔３４０はスロット３１２に挿入され、スロット内の内部隆起部３４６によって、管状本体３２０に対抗して付勢され、プランジャ部材３１６の管状本体３２０をベース部材３０４の内部の片側に向かって付勢し、また突起３２８を凹部３０８内へと付勢して、ばね３３２によってプランジャ部材３１６が付勢されるのを防止する。
【００７４】
いくつかの代替実施形態では、解放要素は、ばね又は他の付勢要素の膨張を制限する。
【００７５】
図２２は、膨張状態の突破機構を示す。楔３４０を除去することにより、プランジャ部材３１６の管状本体３２０はベース部材３０４内で変移でき、これにより突起３２８がプランジャロック用凹部３０８から出ることができるようになり、またプランジャ部材３１６を解放して、ばね３３２の分離力によってベース部材３０４から外向きに移動させることができる。
【００７６】
突破機構３００は、玩具キャラクター１４と同様の玩具キャラクターの一部を形成できる。例えばプランジャ部材３１６及びベース部材３０４は共に、玩具キャラクターのハウジング内に含まれてよい。従ってプランジャ部材３１６及びベース部材３０４は、必要に応じて、若年の鳥、爬虫類等の外見に寄与するように構成してよい。更に、突破機構３００を、卵等のハウジング内に配置でき、上記ハウジングは、ベース部材３０４に対して延伸位置（図２２）に向かって外向きにプランジャ部材３１６を付勢するばね３３２の付勢力によって破断できる。ハウジングは、突破機構３００から楔３４０を取り外すことができるようにするアパーチャを有する。ばね３３２は、プランジャ部材３１６とベース部材３０４とを分離させて、突破機構３００が配置されたハウジングを破断するために、十分に強い付勢力を印加できる。
【００７７】
図２３は、図２１〜２３の突破機構３００を配備できるハウジングの断面図である。この例のハウジングは、その内部に沿って形成された一連の破断経路３６４を有する、シミュレートされた卵の殻３６０の形状であり、破断経路３６４は、卵の殻３６０の周囲の部分に対して低減された殻厚さを有する。卵の殻３６０の楔アクセス用アパーチャ３６８により、楔３４０の端部が貫通でき、これにより、ユーザが楔３４０を把持してこれを取り外すことにより、突破機構３００を起動できる。
【００７８】
図２４は、別の実施形態による突破機構４００を示す。突破機構４００は、２つのベース部材部分４０４ａ、４０４ｂで形成されたベース部材４０４と、２つのプランジャ部材部分４０８ａ、４０８ｂで形成されたプランジャ部材４０８とを含む。ベース部材４０４は、プランジャ部材４０８を受承する概ね中空の内部を有する管状側壁４１２と、側壁４１２の頂部に沿った内部リップ４１６とを有する。プランジャ部材４０８は、管状側壁４２０と、側壁４２０の底部に沿った外部リッジ４２４とを有し、外部リッジ４２４は、ベース部材４０４の内部リップ４１６と協働して、プランジャ部材４０８がベース部材４０４から完全に出てしまうのを防止する。プランジャ部材４０８もまた、１つのチャネルを画定する複数の内壁４２８のセットを有する。スクリュードライブ４３２は、ベース部材４０４の内側に固定されており、（特定の用途の梱包要件に基づいて当業者が容易に構成する好適な機械的駆動によって）ねじ山付きシャフト４４０を回転させるモータ４３６と、モータ４３６に給電するバッテリ４４４とを含む。内部ねじ山付き部分を有するトラベラー（ｔｒａｖｅｌｅｒ）４４８は、ねじ山付きシャフト４４０を受承する。トラベラー４４８は概ね管状であり、プランジャ部材４０８の内壁４２８によって画定されるチャネル内での回転を防止するために寸法設定された長方形の外形を有する。トラベラー４４８の外面上のリップ４５０は、内壁４２８の下縁部に当接するため、内壁４２８によって画定されたチャネル内への挿入を制限する。付勢要素４５２（螺旋圧縮ばねとして図示されており、便宜上ばね４５２と呼ぶこともある）は、ねじ山付きシャフト４４０と反対側のトラベラー４４８の端部内に嵌め込まれる。磁気スイッチ４５３は、突破機構４００内に設けられ、バッテリ４４４からモータ４３６への電力を制御する。磁気スイッチ４５３は、図２４に示すようなハウジングに近接する磁石４５４の存在によって作動させることができ（即ち閉回路化され）、これによってスクリュードライブ４３２に給電する。
【００７９】
図２５は、ハウジング内に位置決めされた圧縮状態の突破機構４００を示す。図示されている実施形態では、ハウジングは卵の殻４６０である。卵の殻４６０は、環状殻部分４６８に固定された破断可能な殻部分４６４を含む。環状殻部分４６８は、ベース殻部分４７２にスナップ嵌合される。トラベラー４４８は、プランジャ部材４０８の内壁４２８によって生成されたチャネル内に位置決めされ、ねじ山付きシャフト４４０の下端に位置決めされる。ばね４５２は、トラベラー４４８の内部の肩部と上記チャネル内の端面との間で圧縮される。モータ４３６を用いてスクリュードライブ４３２を駆動することにより、ばね４５２の漸増する撓みを駆動し、これにより、プランジャ部材４０８をベース部材４０４から外向きに付勢する、ばね４５２によって印加される付勢力を増大させる。
【００８０】
図２６は、モータ４３６に隣接する卵の殻４６０に近接する磁石の配置によるスクリュードライブ４３２の起動後の膨張状態における、突破機構４００を示す。スクリュードライブ４３２は、プランジャ部材４０８及びベース部材４０４を離間するように付勢する分離力を動作的に印加する。卵の殻４６０が十分に破断されると、ばね４５２は圧縮状態から膨張して、破壊された卵の殻４６０を突然押圧して引き離し、孵化動作の現実感を高める。
【００８１】
図２７は、図２４〜２６に示す突破機構４００と同様の突破機構を含む、玩具キャラクター５００を示す。図２７に示す突破機構は、ベース部材５０４と、膨張状態で示されているプランジャ部材５０８とを有する。玩具キャラクター５００は、旋回ホイール組立体５１２を含み、これは、任意にベース部材５０４及びプランジャ部材５０８を離間するように駆動するモータと同一のモータによって駆動される、一対のホイール５１６を有する。一対の非旋回ホイール５２０が、ベース部材５０４に取り付けられている。旋回ホイール組立体は、ホイール組立体５１２がモータによってある程度の角度だけ間欠的に回転させられるように、モータに接続してよい。これにより、玩具キャラクター５００に幾分不安定な運動がもたらされる。この不安定な運動は、キャラクターの運動中に、キャラクターに現実感を伝達できる。
【００８２】
また、いずれの好適なキャラクターの外見をシミュレートするために、本明細書に記載及び図示されている突破機構に装飾カバーを設けてよい。
【００８３】
図２８〜３０は、ある実施形態によるハウジング破断機構６００を示す。ハウジング破断機構６００は、内側ボウル６１２に固定された外側ボウル６０８を含むベースフレーム部材６０４を有する。外側ボウル６０８は、その頂部周囲に内側リップ６１６を有する。上側フレーム部材６２０は、外側ボウル６０８の頂部周囲の周りで、ベースフレーム部材６０４に回転可能に連結される。上側フレーム部材６２０の内側リップ６２４は、外側ボウル６０８の内側リップ６１６をしっかりと受承する。３つの切断要素６２８は、その第１の端部において、部分ねじ山付きねじ６３２等の締結具によってベースフレーム部材６０４に枢動可能に連結される。切断要素６２８の第２の端部６３６は、上側フレーム部材６２０の側壁の開口６４０を通る上記切断要素６２８の突起によって、上側フレーム部材６２０に摺動可能に連結される。切断要素６２８は、幾分弓状になっており、破断されるハウジング６４８をその中に位置決めできるアパーチャ６４４を画定する。
【００８４】
理解されるように、ベースフレーム部材６０４に対する、上側フレーム部材６２０の反時計回り方向の回転は、切断要素６２８を枢動させ、アナログカメラのアパーチャのようにアパーチャ６４４を横断する／収縮させる。切断要素６２８に沿った鋭利な突起６５２は、アパーチャ６４４に向かって突出し、ハウジング６４８に孔を開ける、及び／又は亀裂を生じさせるように作用する。このようにして、ハウジング破断機構６００内に配置されたハウジング６４８を破断できる。
【００８５】
理解されるように、切断要素は、上側フレーム部材に締結された締結具をその中に固定できるチャネルを切断要素に設ける等の多数の方法によって、上側フレーム部材に摺動可能に接続できる。更に切断要素は、上側フレーム部材に枢動可能に接続してよく、またベースフレーム部材に摺動可能に接続してよい。
【００８６】
１つ又は複数の切断要素を採用でき、また１つ又は複数の切断要素は、破断されるハウジングを他の切断要素に対して、又はフレームの一部分に対して圧縮するように作用できる。
【００８７】
図３１Ａ及び３１Ｂは、別の実施形態によるハウジング破断機構７００を示す。ハウジング破断機構７００は、ボルト又はリベット等の締結具７０８によって枢動可能に連結された、一対の切断要素７０４を含む。切断要素７０４のうちの一方又は両方は、その切断縁部７１６に凹部７１２を有する。破壊されるハウジングは、上記１つ又は複数の凹部７１２内に配置でき、図３１Ｂに示すように、切断要素７０４の枢動によって破壊でき、これにより、ハウジング内に設けられた玩具キャラクターへのアクセスが可能となる。
【００８８】
上述の突破機構、特に図２０〜２３及び２４〜２７に示す突破機構を採用した玩具キャラクターは、上記玩具キャラクターと共にハウジング内に配置してもしなくてもよいコンパニオン玩具キャラクターと併用できる。
【００８９】
図３２Ａは、膨張状態における、図２７の玩具キャラクターと同様の玩具キャラクターのための突破機構８００を示す。突破機構８００はベース部材８０４を有し、これは圧縮状態のプランジャ部材８０８内に入れ子になり、モータを有するスクリュードライブによって、プランジャ部材８０８から離れて図示されている膨張状態へと付勢される。ある表面上での玩具キャラクターの運動は複数のホイール８１２によって提供され、これらのホイール８１２はカム外形を有し、また図６に示したものと同様に、各ホイールに少なくとも１つの葉状部を有する。ホイール８１２はモータによって駆動される。
【００９０】
図３２Ｂは、（図３２Ａの突破機構８００を採用した）玩具キャラクターと共にハウジング内に配置されるコンパニオン玩具キャラクターのための、コンパニオン機構８２０を示す。コンパニオン機構８２０は、本体８２４及びホイール基部８２８を有し、ホイール基部８２８は、本体８２４内に入れ子になっているものの、内部螺旋金属コイルばねによって、図示されているような膨張状態へと外向きに付勢される。ホイール基部８２８は、最小の押圧で表面に沿ってコンパニオン機構８２０を運動させることができるようにする、複数のホイール８３２のセットを有する。
【００９１】
図３３は、図３２Ａの突破機構８００及び図３２Ｂ及びのコンパニオン機構８２０を、積層圧縮状態で示す。この圧縮状態では、突破機構８００のスクリュードライブは、まだ、プランジャ部材８０８をベース部材８０４から離間するよう駆動するために駆動されていない。コンパニオン機構８２０も圧縮状態であり、ホイール基部８２８は、螺旋金属コイルばねの力に対抗して、本体８２４内において圧縮状態で保持されている。コンパニオン機構８２０は、突破機構８００のプランジャ部材８０８の頂部にある。
【００９２】
図３４は、内側に位置決めされた２つの玩具キャラクターを有する卵の殻８４０の形状のハウジングの断面図である。主要玩具キャラクター８４４は、圧縮状態である突破機構８００を採用する。補助玩具キャラクター８４８は、これもまた圧縮状態であるコンパニオン機構８２０を作用する。例えば２つの接点を一体として回路を閉鎖するための磁石による、主要玩具キャラクター８４４内の突破機構８００のモータ及び取り付けられたスクリュードライブの起動時、スクリュードライブはプランジャ部材８０８をベース部材８０４から離間するように付勢し、これにより突破機構８００を膨張させて、卵の殻８４０を通して補助玩具キャラクター８４８を押圧し、卵の殻８４０を破断する。同時にホイール８１２が回転を始め、ホイール８１２の葉状部が、卵の殻８４０を破断するための卵の殻８４０の内部に対する押圧を補助する。
【００９３】
卵の殻８４０が破断すると、玩具キャラクター８４８内のコンパニオン機構８２０はもはや圧縮状態に保持されず、ホイール基部８２８は螺旋金属コイルばねによって本体８２４から離間するように付勢される。
【００９４】
主要玩具キャラクター８４４が卵の殻８４０から脱出したら、ホイール８１２は主要玩具キャラクター８４４を、主要玩具キャラクター８４４が配置された表面を横断して移動させる。
【００９５】
突破機構８００及びコンパニオン機構８２０は、膨張時に起動される電子構成部品を含むことができる。突破機構８００の場合、上記電子構成部品は、モータと同一の回路上に配置でき、回路の閉鎖時に起動できる。コンパニオン機構８２０に関しては、その電子構成部品は、本体８２４及びホイール基部８２８が螺旋金属コイルばねによって離間するように付勢された場合の回路の閉鎖時に起動できる。
【００９６】
上記電子構成部品により、主要玩具キャラクター８４４及び補助玩具キャラクター８４８は、鳥の鳴き声等の可聴雑音を発生させる、光を表示する等を行うことができるようになる。更に主要玩具キャラクター８４４及び補助玩具キャラクター８４８は、他方を感知することによって「対話」できる。例えば主要玩具キャラクター８４４は、鳥の鳴き声のような雑音を生成するためのオーディオスピーカーを備えることができ、補助玩具キャラクター８４８は、オーディオセンサ（即ちマイクロフォン）、上記鳥の鳴き声のような雑音を他のオーディオ信号から弁別するためのプロセッサ、及び対応するより高い音程の鳥の鳴き声を出力するためのオーディオスピーカーを備えることができる。主要玩具キャラクター８４４及び補助玩具キャラクター８４８の両方が、マイクロフォン、光検出器、ネットワークアンテナ等のセンサと、プロセッサと、オーディオスピーカー、発光ダイオード、ネットワークラジオ等の出力デバイスとを備えることができる。このようにして、主要玩具キャラクター８４４及び補助玩具キャラクター８４８は対話して、一方が他方を補足できる。
【００９７】
一実施形態では、補助玩具キャラクターが出力したオーディオ及び／又は光信号を主要玩具キャラクターが受信して使用し、補助玩具キャラクターに対して位置設定及び移動できる。
【００９８】
図３５は、別の実施形態による、図３２Ｂのコンパニオン機構８２０と同様の、より小さい補助玩具キャラクターのための別のコンパニオン機構９００を示す。コンパニオン機構９００は、本体９０４及びホイール基部９０８を有し、ホイール基部９０８は、本体９０４内に入れ子になっており、また内部螺旋金属コイルばねによって、図示されているような膨張状態へと外向きに付勢される。ホイール基部９０８は、最小の押圧で表面に沿ってコンパニオン機構９００を運動させることができるようにする、複数のホイール９１２のセットを有する。
【００９９】
図３６は、図３２Ａの突破機構と同様の突破機構９２０と、２つの図３５のコンパニオン機構９００とを、積層圧縮状態で示す。突破機構９２０はベース部材９２４を有し、これは、図示されているような圧縮状態において、プランジャ部材９２８内に入れ子になり、スクリュードライブによってプランジャ部材９２８から離れて膨張状態へと付勢される。ある表面上での突破機構９２０の運動は複数のホイール９３２によって提供され、これらのホイール９３２はカム外形を有し、また図６に示したものと同様に、各ホイールに少なくとも１つの葉状部を有する。
【０１００】
２つのコンパニオン機構９００はそれぞれ、螺旋金属コイルばねの力に対抗して圧縮下で本体９０４内に保持される、ホイール基部９０８を有する。コンパニオン機構９００のうちの一方は、他方のコンパニオン機構９００の頂部に位置決めされ、この他方のコンパニオン機構９００は、突破機構９２０のプランジャ部材９２８の頂部に位置決めされる。
【０１０１】
図３７は、内側に位置決めされた３つの玩具キャラクターを有する卵の殻９４０の形状のハウジングの断面図である。主要玩具キャラクター９４４は、圧縮状態である突破機構９２０を採用する。３つの補助玩具キャラクター９４８はそれぞれ、これもまた圧縮状態であるコンパニオン機構９００を作用する。例えば２つの接点を一体として回路を閉鎖するための磁石による、主要玩具キャラクター９４４内の突破機構９２０のスクリュードライブの起動時、スクリュードライブはプランジャ部材９２８をベース部材９２４から離間するように付勢し、これにより主要玩具キャラクター９４４の突破機構９２０を膨張させて、卵の殻９４０を通して、頂部に位置決めされた玩具キャラクター９４８を押圧し、卵の殻９４０を破断する。卵の殻９４０が破断すると、各補助玩具キャラクター９４８内のコンパニオン機構９００はもはや圧縮状態に保持されず、ホイール基部９０８は螺旋金属コイルばねによって本体９０４から離間するように付勢される。
【０１０２】
主要玩具キャラクター９４４及び補助玩具キャラクター９４８は、主要玩具キャラクター８４４及び補助玩具キャラクター８４８に関して上述したような追加の機能を提供するために、電子構成部品を含むことができる。
【０１０３】
突破機構は、この突破機構がハウジング内の後部に配置された場合の１つ又は複数の追加の挙動を有して構成できる。例えばこの突破機構は、運動すること、可聴雑音を発すること、発光すること等が可能である。
【０１０４】
図３８は、ハウジング内に配置された場合の追加の挙動を有して構成された、例示的な突破機構１０００を示す。ハウジングは、盛り上がった内側リング１００８を有する卵の殻１００４である。小型磁石１０１２は、卵の殻１００４の底部内側表面の中央から突出する金属ロッド１０１６を帯磁させる。アダプタディスク１０２０は、卵の殻１００４の上記盛り上がった内側リング１００８の頂部に位置決めされる。アダプタディスク１０２０は突破機構１０００上に嵌っており、追加の挙動の一部として卵の殻１００４に対する突破機構１０００の運動を可能とする。円錐台状金属ディスク１０２４は、突破機構１０００の底部に固定され、突破機構１０００の内側のホールセンサに対する金属ロッド１０１６の配置を案内する。ホールセンサ１０２８は、金属ロッド１０１６の磁性を感知することにより、突破機構１０００が卵の殻１００４の内側に位置決めされた時点を検出する。
【０１０５】
図３９は、その内側表面に沿って盛り上がった内側リング１００８を有する、卵の殻１００４の底部を示す。切り欠きを有するリング１０３２は、上記盛り上がった内側リング１００８内において、卵の殻１００４の底部の内部表面から突出する。上記切り欠きを有するリング１０３２内のポストアンカー１０３６はアパーチャを有し、金属ロッド１０１６が上記アパーチャ内に固定される。
【０１０６】
図４０Ａ及び４０Ｂは、下向きに延伸する周縁リップ１０４４を有する環状プレート１０４０を有する、アダプタディスク１０２０を示す。一対のホイール凹部１０４８ａ、１０４８ｂは、突破機構１０００のホイールを受承するよう寸法設定される。ホイール凹部のうちの一方である１０４８ａは、突破機構１０００のホイールを受承するために必要な深さより深い。ディスクグリップ１０５２は、環状プレート１０４０の底面から突出する。同時に、ホイール凹部１０４８ａ及びディスクグリップ１０５２により、アダプタディスク１０２０を、アダプタディスク１０２０が嵌め込まれた突破機構１０００から離れるように引っ張ることができ、これにより、突破機構１０００のホイールを露出させて、突破機構１０００をある表面上で可動化するために使用できる。中央歯車ディスク１０５６は、環状プレート１０４０に回転可能に連結され、その上面に多数の歯を有する。２つの弓状壁１０６０は、中央歯車ディスク１０５６の下面から延伸する。これら弓状壁１０６０は、厚くなった垂直縁部１０６４を有する。貫通孔１０６８により、金属ロッド１０１６がアダプタディスク１０２０を貫通できる。一対の固定ポスト１０７２は、環状プレート１０４０の上面から延伸することによって、突破機構１０００の底面の対応する孔と解放可能に係合する。
【０１０７】
突破機構１０００は、卵の殻１００４を破断するために突破機構１０００をトリガする前に、金属ロッド１０１６の磁性の検出によって突破機構１０００のモータがトリガされないように構成される。その後、突破機構１０００の追加の挙動をトリガするために、アダプタディスク１０２０が、固定ポスト１０７２を介して突破機構１０００の底部に固定され、組み合わされた突破機構１０００とアダプタディスク１０２０とが、卵の殻１００４の底部に配置される。アダプタディスク１０２０の弓状壁１０６０は、卵の殻１００４の、切り欠きを有するリング１０３２に嵌め込まれ、厚くなった垂直縁部１０６４は、切り欠きを有するリング１０３２と係合して、卵の殻１００４に対する中央歯車ディスク１０５６の回転を防止する。
【０１０８】
突破機構１０００及びアダプタディスク１０２０の配置中、金属ロッド１０１６は、円錐台状金属ディスク１０２４によって案内されて突破機構１０００に挿入され、これにより金属ロッド１０１６はホールセンサ１０２８と係合する。金属ロッド１０１６の磁性は、ホールセンサ１０２８によって感知されて、突破機構１０００のモータの起動をトリガする。
【０１０９】
突破機構１０００は、モータに連結された角度付きピストンアームを含み、これは突破機構１０００の底面から突出する。モータは、突破機構１０００の底面の下方に角度を有して延伸する状態と、上記モータによって駆動される回転ディスクに中心をずらして取り付けられていることによって突破機構１０００内に戻るように引き込まれる状態との間の、上記角度付きピストンアームのサイクルを駆動する。上記角度付きピストンアームは、その下向きのストローク時に、中央歯車ディスク１０５６の上面の歯車の歯に係合して、突破機構１０００及び突破機構１０００に固定された環状プレート１０４０を、中央歯車ディスク１０５６に対して回転させる。上記角度付きピストンアームの上向きのストローク時には、突破機構１０００及び突破機構１０００に固定された環状プレート１０４０は、卵の殻１００４に対して静止したままとなる。理解されるように、突破機構１０００のモータの連続的な動作により、突破機構１０００は卵の殻１００４内で間欠的に回転する。
【０１１０】
突破機構１０００のモータはまた、延伸している翼部材の回転等の他の機構も駆動でき、これには、突破機構１０００がその翼を羽ばたいているような錯覚を提供する。
【０１１１】
更にホールセンサ１０２８は、突破機構１０００の他の要素をトリガしてよい。例えば突破機構１０００は、ホールセンサ１０２８によってトリガできる、１つ又は複数のライト、鳥の鳴き声を発するオーディオスピーカー等を含むことができる。
【０１１２】
追加の挙動をトリガするために、ホールセンサの代わりに他のタイプのセンサ及び機構を用いることができる。例えば金属ロッドは、突破機構に挿入された場合に、モータを駆動するための電気回路を完成させることができる。更なる例では、ロッドは、突破機構に挿入された場合に、２つの金属接点を接触するように付勢して、モータを駆動するための回路を完成させることができる。
【０１１３】
ハウジングに対する突破機構の運動は、他の様式で達成できる。例えばハウジング内の円形トラックにより、１つのホイールの回転によって、ハウジングに対して突破機構を回転させることができるようにすることができる。
【０１１４】
上記凹部の寸法及び形状、並びに上記切断要素の材料は、ハウジングの形状、材料及び寸法に適合するように変化させることができる。
【０１１５】
突破機構及びコンパニオン機構は、それらの挙動を変更するための１つ又は複数のスイッチを備えることができる。上記スイッチは、ボタン、物理スイッチ等の形態を取ることができ、オーディオセンサ、光／運動センサ、磁気センサ、電気センサ、熱センサ等を含むことができる。
【０１１６】
図では、玩具キャラクターはハウジング内に設けられるものとして図示されている。しかしながら、上記玩具キャラクターは、ハウジング内に設けられる内部物体の単なる一例であることに留意されたい。本明細書に記載のいくつかの実施形態では、内部物体は生物タイプであってよく、突破機構を含んでよい。いくつかの実施形態では、内部物体は生物タイプでなくてよい。いくつかの実施形態では、内部物体は生物タイプであってよいが、それ自体は突破機構を含まなくてよい。いくつかの実施形態では、内部物体は玩具キャラクターであってよい。いくつかの実施形態では、内部物体は、知覚的実体として実体化されるように構成できないという意味において、キャラクターではなくてよい。
【０１１７】
更なる可能な代替実装形態及び修正形態が存在すること、並びに上述の例が１つ又は複数の実装形態の単なる例示であることは、当業者には理解されるだろう。従って、本発明の範囲は、添付の請求項によってのみ限定されるものとする。
【０１１８】
（付記）
付記１の玩具組立体は、ハウジング；前記ハウジング内の内部物体であって、前記内部物体は、前記ハウジングを破壊して前記内部物体を露出させるように動作可能な、突破機構を含む、内部物体；ユーザとの対話を検出する、少なくとも１つのセンサ；並びにコントローラであって、前記ユーザとの少なくとも１つの前記対話に基づいて、選択された条件が満たされているかどうかを決定するよう、及び前記条件が満たされている場合に、前記ハウジングを破壊して前記内部物体を露出させるために前記突破機構を動作させるよう、構成される、コントローラ
を備える。
付記２の玩具組立体は、付記１に記載の玩具組立体において、前記条件は、選択された回数の前記ユーザとの前記対話を有することに基づいて満たされる。
付記３の玩具組立体は、付記１又は２に記載の玩具組立体において、前記内部物体は、発光時に前記ハウジングを通して視認可能であるＬＥＤを内包する。
付記４の玩具組立体は、付記１〜３のいずれか１項に記載の玩具組立体において、前記少なくとも１つのセンサは、皮膚との接触を検出するよう構成された、前記ハウジング上の容量性センサを含む。
付記５の玩具組立体は、付記１〜４のいずれか１項に記載の玩具組立体において、前記少なくとも１つのセンサは、マイクロフォンを含む。
付記６の玩具組立体は、付記１〜５のいずれか１項に記載の玩具組立体において、前記内部物体は、前記ハウジング内で前記内部物体を回転させるよう構成される回転機構を含み、前記コントローラは、前記ハウジングを複数の箇所において破壊するために前記突破機構を動作させる際に、前記回転機構を動作させるよう構成される、。
付記７の玩具組立体は、ハウジング；前記ハウジング内の内部物体；並びに突破機構であって、前記突破機構は前記ハウジングに連結され、また前記ハウジングを破壊して前記内部物体を露出させるよう動作可能である、突破機構
を備える、玩具組立体であって、前記突破機構は、前記ハウジングに連結された突破機構動力源によって動力供給される。
付記８の玩具組立体は、付記７に記載の玩具組立体において、前記突破機構は前記ハウジング内にあり、前記ハウジングの外側から操作可能である。
付記９の玩具組立体は、付記７又は８に記載の玩具組立体において、前記突破機構は、前記内部物体に関連して位置決めされたハンマーを含み、前記突破機構動力源は、前記ハンマーを駆動して前記ハウジングを破壊するために、前記ハンマーに動作的に接続される。
付記１０の玩具組立体は、付記９に記載の玩具組立体において、前記突破機構動力源は、前記ハンマーを往復運動させて前記ハウジングを破壊するために、前記ハンマーに動作的に接続される。
付記１１の玩具組立体は、付記７〜１０のいずれか１項に記載の玩具組立体において、前記突破機構は、前記ハウジング内で前記内部物体を機械的に膨張させるよう動作可能である。
付記１２の玩具組立体は、付記１１に記載の玩具組立体において、前記突破機構は：ベース部材；プランジャ部材；前記プランジャ部材及び前記ベース部材を離間するように付勢する分離力をもたらす、付勢要素；並びにモータによって駆動されるスクリュードライブを含み、前記スクリュードライブは、前記付勢要素の漸増する撓みを駆動することによって、前記プランジャ部材を前記ベース部材から外向きに付勢する前記付勢要素によって印加される付勢力を増大させる。
付記１３のポリマー組成物は、約１５〜２５重量％のベースポリマー；約１〜５重量％の有機酸金属塩；及び約７５〜８５重量％の無機／微粒子フィラーを含む。
付記１４の玩具組立体は、ハウジング；前記ハウジング内の玩具キャラクターであって、前記玩具キャラクターは、前記ハウジングを破壊して前記玩具キャラクターを露出させるように動作可能な、突破機構を含む、玩具キャラクターを備える、玩具組立体であって、前記ハウジングは、前記突破機構からの衝撃時の破断を促進するために、前記ハウジングの内面上に設けられた複数の破断要素を含む。
付記１５の玩具組立体は、ハウジングと、突破前位置にある前記ハウジング内の内部物体とを備える、玩具組立体であって、前記内部物体は、機能性機構セットを含み、前記内部物体は、前記ハウジングから取り出し可能であり、突破後位置に位置決め可能であり、前記内部物体が前記突破前位置にある場合、前記機能性機構セットは、第１の一連の運動を実施するよう動作可能であり、前記内部物体が前記突破後位置にある場合、前記機能性機構セットは、前記第１の一連の運動とは異なる第２の一連の運動を実施するよう動作可能である。
【符号の説明】
【０１１９】
１０  玩具組立体
１２  ハウジング
１２ａ  第１のハウジグ部材
１２ｂ  第２のハウジング部材
１２ｃ  第３のハウジング部材
１４  玩具キャラクター
１６  不規則破断経路
１６ａ  中央破断経路
１７  構造的領域 
１８  ハウジング１２の内面
１９  破断領域
２０  玩具キャラクターフレーム
２１  チャネル
２２  突破機構
２３  破断ユニット
２４  突破機構動力源
２５  周囲の破断経路１６によって範囲を画定された領域
２７  中央リッジ
２８  コントローラ
２９  先細壁
３０  ハンマー
３２  作動レバー
３４  突破機構カム
３６  モータ
３８  作動レバー付勢部材
４０  ピン継手
４２  作動レバー３２の第１の端部
４４  カム係合表面
４６  作動レバー３２の第２の端部
４８  ハンマー係合表面
４９  出力シャフト
５０  カム表面
５１  段差付き領域
５２ａ  第１の磁石
５２ｂ  第２の磁石
５３  回転機構
５４  歯車
５６  メインホイール
５６ａ  第１のホイール
５６ｂ  第２のホイール
５８  駆動歯部
６０  ブッシュ
６２  シャフト
６４  支持表面
６６  突出部
６８  アパーチャ
７０ａ  第１の解放部材
７０ｂ  第２の解放部材
７２  作動レバー付勢部材３８の第１の端部
７４  作動レバー付勢部材３８の第２の端部
７８  ロックレバー
８０  ハンマー付勢構造体
８２  枢動アーム
８４  ピン継手
８６  枢動アーム付勢部材
９０  容量性センサ
９２  マイクロフォン
９４  プッシュボタン
９５  ＬＥＤ
９６  枝状部、翼
１００  枝状部コネクタリンク、翼コネクタリンク
１０２  翼コネクタリンク付勢部材
１０４  枝状部ドライバアーム、翼ドライバアーム
１０６  翼ドライバアームホイール
１０８  葉状部
１５０  カメラ
１５２  スマートフォン
１５３  進行度スキャン
１５４  サーバ
１５６  ネットワーク
１５８ａ  第１の出力画像
１５８ｂ  第２の出力画像
３００  突破機構
３０４  ベース部材
３０８  プランジャロック用凹部
３１２  スロット
３１６  プランジャ部材
３２０  管状本体
３２４  丸型キャップ
３２８  突起
３３２  ばね
３３６  カラー
３４０  楔
３４４  リッジ
３４６  内部隆起部
３６０  卵の殻
３６４  破断経路
３６８  楔アクセス用アパーチャ
４００  突破機構
４０４  ベース部材
４０４ａ  ベース部材部分
４０４ｂ  ベース部材部分
４０８  プランジャ部材
４０８ａ  プランジャ部材部分
４０８ｂ  プランジャ部材部分
４１２  管状側壁
４１６  内部リップ
４２０  管状側壁
４２４  外部リッジ
４２８  内壁
４３２  スクリュードライブ
４３６  モータ
４４０  ねじ山付きシャフト
４４４  バッテリ
４４８  トラベラー
４５０  リップ
４５２  付勢要素、ばね
４５３  磁気スイッチ
４５４  磁石
４６０  卵の殻
４６４  破断可能な殻部分
４６８  環状殻部分
５００  玩具キャラクター
５０４  ベース部材
５０８  プランジャ部材
５１２  旋回ホイール組立体
５１６  一対のホイール
５２０  一対の非旋回ホイール
６００  ハウジング破断機構
６０４  ベースフレーム部材
６０８  外側ボウル
６１２  内側ボウル
６１６  内側リップ
６２０  上側フレーム部材
６２４  内側リップ
６２８  切断要素
６３２  部分ねじ山付きねじ
６３６  第２の端部
６４０  貫通開口
６４４  アパーチャ
６４８  ハウジング
６５２  突起
７００  ハウジング破断機構
７０４  切断要素
７０８  締結具
７１２  凹部
７１６  切断縁部
８００  突破機構
８０４  ベース部材
８０８  プランジャ部材
８１２  ホイール
８２０  コンパニオン機構
８２４  本体
８２８  ホイール基部
８３２  ホイール
８４０  卵の殻
８４４  主要玩具キャラクター
８４８  補助玩具キャラクター
９００  コンパニオン機構
９０４  本体
９０８  ホイール基部
９１２  ホイール
９２０  突破機構
９２４  ベース部材
９２８  プランジャ部材
９３２  ホイール
９４０  卵の殻
９４４  主要玩具キャラクター
９４８  補助玩具キャラクター
１０００  突破機構
１００８  盛り上がった内側リング
１００４  卵の殻
１０１２  小型磁石
１０１６  金属ロッド
１０２０  アダプタディスク
１０２４  円錐台状金属ディスク
１０２８  ホールセンサ
１０３２  切り欠きを有するリング
１０３６  ポストアンカー
１０４４  周縁リップ
１０４０  環状プレート
１０４８ａ  ホイール凹部
１０４８ｂ  ホイール凹部
１０５２  ディスクグリップ
１０５６  中央歯車ディスク
１０６０  弓状壁
１０６４  厚くなった垂直縁部
１０６８  貫通孔
１０７２  固定ポスト
Ａｇ  歯車５４の軸
【図１】
2020028754.tif 000003
【図２】
2020028754.tif 000004
【図３】
2020028754.tif 000005
【図４】
2020028754.tif 000006
【図５】
2020028754.tif 000007
【図６】
2020028754.tif 000008
【図７】
2020028754.tif 000009
【図８】
2020028754.tif 000010
【図９】
2020028754.tif 000011
【図１０Ａ】
2020028754.tif 000012
【図１０Ｂ】
2020028754.tif 000013
【図１０Ｃ】
2020028754.tif 000014
【図１０Ｄ】
2020028754.tif 000015
【図１１】
2020028754.tif 000016
【図１２】
2020028754.tif 000017
【図１３】
2020028754.tif 000018
【図１４】
2020028754.tif 000019
【図１５】
2020028754.tif 000020
【図１６】
2020028754.tif 000021
【図１７Ａ】
2020028754.tif 000022
【図１７Ｂ】
2020028754.tif 000023
【図１８】
2020028754.tif 000024
【図１９Ａ】
2020028754.tif 000025
【図１９Ｂ】
2020028754.tif 000026
【図２０】
2020028754.tif 000027
【図２１】
2020028754.tif 000028
【図２２】
2020028754.tif 000029
【図２３】
2020028754.tif 000030
【図２４】
2020028754.tif 000031
【図２５】
2020028754.tif 000032
【図２６】
2020028754.tif 000033
【図２７】
2020028754.tif 000034
【図２８】
2020028754.tif 000035
【図２９】
2020028754.tif 000036
【図３０】
2020028754.tif 000037
【図３１】
2020028754.tif 000038
【図３２】
2020028754.tif 000039
【図３３】
2020028754.tif 000040
【図３４】
2020028754.tif 000041
【図３５】
2020028754.tif 000042
【図３６】
2020028754.tif 000043
【図３７】
2020028754.tif 000044
【図３８】
2020028754.tif 000045
【図３９】
2020028754.tif 000046
【図４０】
2020028754.tif 000047